(57)【要約】【課題】通信の信頼性を高めること。【解決手段】ＰＯＮシステムは、通信装置が複数の上位終端装置と接続される第１のＰＯＮと、通信装置が下位終端装置と接続される第２のＰＯＮとを有するＰＯＮシステムであって、通信装置は、複数の上位終端装置と通信装置とが接続される複数の光伝送路のうちいずれかの光伝送路を介して複数の上位終端装置のうちいずれかの上位終端装置と通信を行う通信部と、通信部によって用いられる光伝送路を、障害状況に応じて複数の光伝送路のうちいずれかの光伝送路に切り替える切替部とを有する。【選択図】図１
2016115962.tif 000002
【特許請求の範囲】
【請求項１】
通信装置が複数の上位終端装置と接続される第１のＰＯＮ（Passive  Optical  Network）と、前記通信装置が下位終端装置と接続される第２のＰＯＮとを有するＰＯＮシステムであって、
前記通信装置は、
前記複数の上位終端装置と前記通信装置とが接続される複数の光伝送路のうちいずれかの光伝送路を介して前記複数の上位終端装置のうちいずれかの上位終端装置と通信を行う通信部と、
前記通信部によって用いられる光伝送路を、障害状況に応じて前記複数の光伝送路のうちいずれかの光伝送路に切り替える切替部と
を有することを特徴とするＰＯＮシステム。
【請求項２】
第１のＰＯＮに含まれる複数の上位終端装置と、第２のＰＯＮに含まれる下位終端装置と接続される通信装置であって、
前記複数の上位終端装置と前記通信装置とが接続される複数の光伝送路のうちいずれかの光伝送路を介して前記複数の上位終端装置のうちいずれかの上位終端装置と通信を行う通信部と、
前記通信部によって用いられる光伝送路を、障害状況に応じて前記複数の光伝送路のうちいずれかの光伝送路に切り替える切替部と
を有することを特徴とする通信装置。
【請求項３】
前記複数の上位終端装置と光伝送路を介して接続される複数の下位終端装置と、
前記複数の下位終端装置のいずれかと接続されるとともに、前記第２のＰＯＮに含まれる下位終端装置と接続される上位終端装置と
をさらに前記通信装置内に有し、
前記通信部は、
前記通信装置内に有する複数の下位終端装置のいずれかを介して前記第１のＰＯＮに含まれる複数の上位終端装置のいずれかと通信を行い、前記通信装置内に有する上位終端装置を介して前記第２のＰＯＮに含まれる下位終端装置と通信を行い、
前記切替部は、
障害状況に応じて前記通信装置内に有する上位終端装置と複数の下位終端装置のいずれかとの接続を切り替えることで、前記複数の下位終端装置のうち前記第１のＰＯＮに含まれる複数の上位終端装置のいずれかと通信を行う下位終端装置を切り替える
ことを特徴とする請求項２に記載の通信装置。
【請求項４】
前記切替部は、
前記通信装置内に有する複数の下位終端装置のうち、前記第１のＰＯＮに含まれる複数の上位終端装置のいずれかと通信を行う下位終端装置として２以上の下位終端装置を同時に動作させる
ことを特徴とする請求項３に記載の通信装置。
【請求項５】
前記通信装置内に有する下位終端装置は、
前記通信装置内に有する複数の下位終端装置のうち少なくとも１つの下位終端装置を動作させた状態で他の下位終端装置を任意のタイミングで休止させる下位休止部
を有することを特徴とする請求項３または４に記載の通信装置。
【請求項６】
前記複数の下位終端装置のいずれかと接続されるとともに、前記第２のＰＯＮに含まれる下位終端装置と光伝送路を介して接続される複数の上位終端装置をさらに前記通信装置内に有し、
前記通信部は、
前記複数の上位終端装置のいずれかを介して前記第２のＰＯＮに含まれる下位終端装置と通信を行い、
前記切替部は、
障害状況に応じて前記通信装置内に有する複数の上位終端装置のいずれかと下位終端装置との接続を切り替えることで、前記複数の上位終端装置のうち前記第２のＰＯＮに含まれる下位終端装置と通信を行う上位終端装置を切り替える
ことを特徴とする請求項２〜５のいずれか一つに記載の通信装置。
【請求項７】
前記切替部は、
前記通信装置内に有する複数の上位終端装置のうち、前記第２のＰＯＮに含まれる下位終端装置と通信を行う上位終端装置として２以上の上位終端装置を同時に動作させる
ことを特徴とする請求項６に記載の通信装置。
【請求項８】
前記通信装置内に有する上位終端装置は、
前記通信装置内に有する複数の上位終端装置のうち少なくとも１つの上位終端装置を動作させた状態で他の上位終端装置を任意のタイミングで休止させる上位休止部
を有することを特徴とする請求項６または７に記載の通信装置。
【発明の詳細な説明】
【技術分野】
【０００１】
本発明は、ＰＯＮシステム及び通信装置に関する。
【背景技術】
【０００２】
近年、ブロードバンドサービスの普及とともにＦＴＴＨ（Fiber  To  The  Home）の導入が進められている。ＦＴＴＨは、主な形態としてＰＯＮシステムが挙げられる。
【０００３】
ＰＯＮシステムは、１つの局側終端装置（ＯＬＴ：Optical  Line  Terminal）と、少なくとも１つ以上の加入者側終端装置（ＯＮＵ：Optical  Network  Unit）と、ＯＬＴとＯＮＵを接続する光スプリッタとを有する。
【０００４】
図３１は、ＰＯＮシステムの一例を示す図である。図３１に示すように、ＰＯＮシステム１０００は、光伝送路１２００１〜１２００ｎ（例えば、ファイバ伝送路）および１対ｎ（ｎは自然数）の光スプリッタ１７００を介して、ＯＬＴ１１００と複数のＯＮＵ１３００１〜１３００ｎとのポイントツーマルチポイントの通信を行うネットワ−クである。ギガビットクラスのＰＯＮの代表的な規格として、ＩＥＥＥ  ８０２．３にて標準化されたＥＰＯＮ（Ethernet（登録商標）PON）がある。ＥＰＯＮは、例えば、ＩＥＥＥ  ８０２．３ａｖ検討グル−プにおいて、１０ギガビットクラスの１０Ｇ−ＥＰＯＮが標準化されている。
【０００５】
ＰＯＮシステムは、複数のＰＯＮが多段に接続されるカスケ−ドＰＯＮも提案されている（例えば、非特許文献１参照）。カスケードＰＯＮは、単数のＰＯＮにおける分岐数の限界を超える多数のＯＮＵを収容可能にする。図３２は、カスケードＰＯＮシステムの一例を示す図である。図３２に示すように、カスケ−ドＰＯＮ２０００は、ＯＬＴ２１００と、複数のＯＮＵ２１３０２１〜２１３０ｘｚと、ｍ台の光スプリッタ２１７０１〜２１７０３（分岐数は任意）と、通信装置である複数のカスケードノード装置（以下、Ｃノード）２１５０１１〜２１５０ｘｙとを有する。
【０００６】
光伝送路２１２０１は、光スプリッタ２１７０１を介して、ＯＬＴ２１１０に接続される。さらに、Ｃノード２１５０１１と、複数のＯＮＵ２１３０２１〜２１３０２ｍと、Ｃノード２１５０２１とは、光スプリッタ２１７０２を介して接続される。さらに、Ｃノード２１５０２１は、Ｃノード２１５０ｘｙと接続される。このように、カスケ−ドＰＯＮ２０００は、多段のＰＯＮシステムを形成する。このようなカスケードＰＯＮは、ＯＬＴから光スプリッタまでの光伝送路を複数のＯＮＵで共用することができるので、費用を抑えることができる。
【先行技術文献】
【非特許文献】
【０００７】
【非特許文献１】田所将志，藤原稔久，氏川裕隆，王寛，鈴木謙一，“１０Ｇ−ＥＰＯＮシステムを用いたカスケードＰＯＮの検討”，電子情報通信学会ソサイエティ大会，Ｂ−８−４７，２０１４年９月９日
【発明の概要】
【発明が解決しようとする課題】
【０００８】
しかしながら、上記の従来技術では、通信の信頼性が低いという問題があった。具体的には、上記技術では、カスケ−ドＰＯＮが多数のＯＮＵを収容可能であるが、１台のＯＬＴ又は上位の位置にあるＣノード下に配置されるＯＮＵの数が多くなる。このため、例えば、カスケ−ドＰＯＮは、ＯＬＴとＣノードを結ぶ光伝送路（例えば、スプリッタ配下の光伝送路）や上位の位置にあるＣノードが故障することで上位の位置にある装置と通信が行えなくなった場合に、故障したＣノードよりも下位に配置される全てのＯＮＵが通信を行えない状態に陥るという問題があった。
【課題を解決するための手段】
【０００９】
上述した課題を解決し、目的を達成するために、本発明のＰＯＮシステムは、通信装置が複数の上位終端装置と接続される第１のＰＯＮと、前記通信装置が下位終端装置と接続される第２のＰＯＮとを有するＰＯＮシステムであって、前記通信装置は、前記複数の上位終端装置と前記通信装置とが接続される複数の光伝送路のうちいずれかの光伝送路を介して前記複数の上位終端装置のうちいずれかの上位終端装置と通信を行う通信部と、前記通信部によって用いられる光伝送路を、障害状況に応じて前記複数の光伝送路のうちいずれかの光伝送路に切り替える切替部とを有することを特徴とする。
【発明の効果】
【００１０】
本発明によれば、通信の信頼性を高めることができるという効果を奏する。
【図面の簡単な説明】
【００１１】
【図１】図１は、第１の実施の形態に係るＰＯＮシステムの構成を示す図である。
【図２】図２は、第１の実施の形態に係るＣノードの構成を示す図である。
【図３】図３は、第１の実施の形態に係るＣ−ＯＮＵの構成を示す図である。
【図４】図４は、第１の実施の形態に係るＣ−ＯＬＴの構成を示す図である。
【図５】図５は、第１の実施の形態に係る切替部の構成を示す図である。
【図６】図６は、第１の実施の形態に係るＰＯＮシステムにおける切替処理の流れを示すシーケンス図である。
【図７】図７は、第１の実施の形態に係るＰＯＮシステムにおける切替処理の流れを示すシーケンス図である。
【図８】図８は、第１の実施の形態に係るＰＯＮシステムにおける切替処理の流れを示すシーケンス図である。
【図９】図９は、変形例に係るＰＯＮシステムの構成を示す図である。
【図１０】図１０は、変形例に係るＰＯＮシステムの構成を示す図である。
【図１１】図１１は、変形例に係るＰＯＮシステムの構成を示す図である。
【図１２】図１２は、第２の実施の形態に係るＣノードの構成を示す図である。
【図１３】図１３は、第２の実施の形態に係る切替部の構成を示す図である。
【図１４】図１４は、第２の実施の形態に係るＣノードの切替処理の流れを示すフローチャートである。
【図１５】図１５は、第２の実施の形態に係るＣノードの切替処理の流れを示すフローチャートである。
【図１６】図１６は、第３の実施の形態に係るＣノードの構成を示す図である。
【図１７】図１７は、第３の実施の形態に係る切替部の構成を示す図である。
【図１８】図１８は、第３の実施の形態に係る接続部の構成を示す図である。
【図１９】図１９は、第３の実施の形態に係るＣノードの切替処理の流れを示すフローチャートである。
【図２０】図２０は、第３の実施の形態に係るＣノードの切替処理の流れを示すフローチャートである。
【図２１】図２１は、第４の実施の形態に係るＣノードの構成を示す図である。
【図２２】図２２は、第５の実施の形態に係るＣノードの構成を示す図である。
【図２３】図２３は、第６の実施の形態に係るＣノードの構成を示す図である。
【図２４】図２４は、第６の実施の形態に係る切替部の構成を示す図である。
【図２５】図２５は、第７の実施の形態に係るＣノードの構成を示す図である。
【図２６】図２６は、第７の実施の形態に係る切替部の構成を示す図である。
【図２７】図２７は、第８の実施の形態に係るＣノードの構成を示す図である。
【図２８】図２８は、第８の実施の形態に係るＣ−ＯＮＵの構成を示す図である。
【図２９】図２９は、第９の実施の形態に係るＣノードの構成を示す図である。
【図３０】図３０は、第９の実施の形態に係るＣ−ＯＬＴの構成を示す図である。
【図３１】図３１は、ＰＯＮシステムの一例を示す図である。
【図３２】図３２は、カスケードＰＯＮシステムの一例を示す図である。
【発明を実施するための形態】
【００１２】
以下に、本願に係るＰＯＮシステムの実施の形態を図面に基づいて詳細に説明する。なお、この実施の形態により本願に係るＰＯＮシステムが限定されるものではない。
【００１３】
［第１の実施の形態］
以下の実施の形態では、第１の実施の形態に係るＰＯＮシステムの構成、Ｃノードの構成、ＰＯＮシステムの全体の処理の流れを順に説明し、最後に第１の実施の形態による効果を説明する。
【００１４】
［ＰＯＮシステムの構成］
ＰＯＮシステム１は、通信装置（例えば、Ｃノード）が複数の上位終端装置（例えば、ＯＬＴやＣノード）と接続される第１のＰＯＮと、通信装置が下位終端装置（例えば、ＯＮＵやＣノード）と接続される第２のＰＯＮとを有するＰＯＮシステムである。この点について、図１を用いて、第１の実施の形態に係るＰＯＮシステム１の構成を説明する。図１は、第１の実施の形態に係るＰＯＮシステム１の構成を示す図である。ＰＯＮシステム１は、図１に示すように、複数のＯＬＴ１０１〜１０２と、複数のＯＮＵ３０２１〜３０２ｍと、複数のＣノード５０１１〜５０１ｎ及び５０２１と、複数の光スプリッタ７０１〜７０３とを有する。
【００１５】
図１の例では、ＰＯＮシステム１は、Ｃノード５０１１（通信装置に相当）が複数のＯＬＴ１０１〜１０２（上位終端装置に相当）と接続される第１のＰＯＮと、Ｃノード５０１１が複数のＯＮＵ３０２１〜３０２ｍ（下位終端装置に相当）と接続される第２のＰＯＮとを有する多段のＰＯＮシステムである。また、ＰＯＮシステム１は、Ｃノード５０１１が複数のＯＬＴ１０１〜１０２との間で複数の光伝送路２０１〜２０２を形成する。
【００１６】
なお、以下では、ＯＬＴ１０１〜１０２、ＯＮＵ３０２１〜３０２ｍ、Ｃノード５０１１〜５０１ｎ及び５０２１、光スプリッタ７０１〜７０３、光伝送路２０１〜２０２をそれぞれ区別しない場合には、ＯＬＴ１０、ＯＮＵ３０、Ｃノード５０、光スプリッタ７０、光伝送路２０と表記する場合がある。
【００１７】
ＰＯＮシステム１では、複数のＯＬＴ１０が複数のＯＮＵ３０と光伝送路を介してポイントツーマルチポイントの通信を行う。例えば、ＰＯＮシステム１は、ＯＬＴ１０から各ＯＮＵ３０へ送信される下り信号が波長分割多重（ＷＤＭ）技術や時分割多重（ＴＤＭ）技術を用いて多重され、かつ、ＯＬＴ１０に接続されている全てのＯＮＵ３０または一部のＯＮＵ３０が共通して受信可能な下り波長が少なくとも１つ存在するＰＯＮが多段に接続される多段ＰＯＮシステムである。
【００１８】
なお、図１の例では、ＰＯＮシステム１は、光スプリッタ７０１の下位にＣノードのみ有するが、光スプリッタ７０１の下位にＯＮＵ３０を有してもよい。また、Ｃノード５０２１の下位には、Ｃノード５０やＯＮＵ３０があってもよい。また、上位終端装置は、ＯＬＴ１０に限らず、Ｃノード５０であってもよい。
【００１９】
ＯＬＴ１０は、加入者側に設置されるＯＮＵ３０からの光信号を終端し各種サービスノードに信号を転送するために局側に置かれる装置である。例えば、ＯＬＴ１０は、映像、電話、ＬＡＮ等のノード側電気信号と光信号との間のセンタ設置型変換装置である。一例としては、ＯＬＴ１０は、ＯＬＴ１０の配下にある複数のＣノード５０のそれぞれとの間で複数の光伝送路２０を形成する。
【００２０】
ＯＮＵ３０は、局側に設置されるＯＬＴ１０からの光信号を終端し各種サービスノードに信号を転送するために加入者側に置かれる装置である。例えば、ＯＮＵ３０は、光ファイバ上の伝送信号と、電話等の各種端末機器に対応した伝送信号間の変換を行う。
【００２１】
Ｃノード５０は、ＰＯＮと他のＰＯＮとを通信可能に接続するノード装置である。具体的には、Ｃノード５０は、Ｃノード５０より上位の位置にあるＯＬＴ１０またはＣノード５０と通信を行う機能を有する。また、Ｃノード５０は、Ｃノード５０より下位の位置にあるＯＮＵ３０またはＣノード５０と通信を行う機能を有する。
【００２２】
光スプリッタ７０は、光アクセスで使われるＰＯＮシステム１において、ＯＬＴ１０を複数のユーザで共用するために光信号を等分配するための部品である。光スプリッタ７０は、例えば、Ｙ字型のＰＬＣ（Planar  Lightwave  Circuit）導波路をツリー状に接続して形成される。
【００２３】
図１の例では、複数のＯＬＴ１０１〜１０２と、複数のＯＮＵ３０２１〜３０２ｍと、複数のＣノード５０１１〜５０１ｎ及び５０２１は、複数の光スプリッタ７０１〜７０３を介して接続される。具体的には、Ｃノード５０１１は、光スプリッタ７０１を介して、ＯＬＴ１０１との間で光伝送路２０１を形成する。また、Ｃノード５０１１は、光スプリッタ７０２を介して、ＯＬＴ１０２との間で光伝送路２０２を形成する。言い換えると、Ｃノード５０１１は、ＯＬＴ１０１以外の他のＯＬＴ１０２とも接続され、複数のＯＬＴ１０１〜１０２に所属する。すなわち、Ｃノード５０１１は、冗長経路として、ＯＬＴ１０２との間で光スプリッタ７０２から光伝送路２０２を形成する。なお、Ｃノード５０１１は、図１の例に限らず、複数の冗長経路を形成してもよい。
【００２４】
また、ＰＯＮシステム１では、複数のＯＬＴ１０１〜１０２が互いの状況を共有する。例えば、主系の上位装置であるＯＬＴ１０１は、ネットワーク５を介して、副系の上位装置であるＯＬＴ１０２とＣノード５０１１のリンク状況や障害ステータス等の情報をリアルタイムに共有する。これにより、ＰＯＮシステム１では、例えば、ＯＬＴ１０１に障害が発生した場合に、ＯＬＴ１０２に通信経路を切り替えることが可能となる。
【００２５】
また、Ｃノード５０１１は、光スプリッタ７０３を介して、Ｃノード５０１１の配下にある複数のＯＮＵ３０２１〜３０２ｍと接続される。また、Ｃノード５０１１は、光スプリッタ７０３を介して、配下にあるＣノード５０２１と接続される。これにより、Ｃノード５０１１は、多段に接続される。なお、複数の光スプリッタ７０１〜７０３による分岐数は、図１に示す例に限らず、任意の数に分岐してもよい。
【００２６】
このように、ＰＯＮシステム１は、Ｃノード５０がＯＬＴ１０との間に冗長経路を有する。これにより、ＰＯＮシステム１は、障害時に冗長経路を用いることができるので、システムの信頼性を高めることができる。例えば、ＰＯＮシステム１は、障害が発生しやすい通信経路に冗長経路を設けるので、システムの信頼性を効率的に高めることができる。
【００２７】
［Ｃノードの構成］
Ｃノード５０は、第１のＰＯＮに含まれる複数の上位装置（上位終端装置に相当）と、第２のＰＯＮに含まれる下位装置（下位終端装置に相当）と接続される。この点について、図２を用いて第１の実施の形態に係るＣノード５０を説明する。図２は、第１の実施の形態に係るＣノードの構成を示すブロック図である。Ｃノード５０は、図２に示すように、カスケードＯＮＵ（以下、「Ｃ−ＯＮＵ５１」と表記する）５１と、カスケードＯＬＴ５２（以下、「Ｃ−ＯＬＴ５２」と表記する）と、切替部５３とを有する。
【００２８】
Ｃ−ＯＮＵ５１は、上位終端装置と光伝送路を介して接続される加入者側の通信機能部である。例えば、Ｃ−ＯＮＵ５１は、光スプリッタ７０１〜７０ｎを介して、Ｃノード５０より上位の位置にある複数の上位装置８０１〜８０ｎ（例えば、ＯＬＴ１０やＣノード５０）と接続される。例えば、Ｃ−ＯＮＵ５１は、上位装置８０１〜８０ｎそれぞれとの間で光伝送路２０１〜２０ｎを形成する。なお、以下では、上位装置８０１〜８０ｎを区別しない場合には、上位装置８０と表記する場合がある。
【００２９】
また、Ｃ−ＯＮＵ５１は、光スプリッタ７０３を介して、Ｃノード５０より下位の位置にある複数の下位装置９０１〜９０ｎ（例えば、ＯＮＵ３０やＣノード５０）と接続される。なお、以下では、下位装置９０１〜９０ｎを区別しない場合には、下位装置９０と表記する場合がある。
【００３０】
ここで、図３を用いて、図２に示したＣ−ＯＮＵ５１の構成を詳細に説明する。図３は、第１の実施の形態に係るＣ−ＯＮＵの構成を示すブロック図である。図３に示すように、Ｃ−ＯＮＵ５１は、電源部１０１と、外部計算処理部１０２と、記憶部１０３と、付加機能部１０４と、通信部１０５と、検知部１０６と、通知部１０７とを有する。
【００３１】
電源部１０１は、電源制御を行う。例えば、電源部１０１は、Ｃ−ＯＮＵ５１への給電を制御する。外部計算処理部１０２は、各種の計算を行う。例えば、外部計算処理部１０２は、後述のＭＰＣＰ処理部１１０ｂによって実行される演算を行う。記憶部１０３は、各種の情報を記憶する。例えば、記憶部１０３は、各種ファームウェアを記憶する。そして、記憶部１０３は、後述するＰＯＮ信号処理部１１０におけるフレーム処理時にバッファとして利用される。付加機能部１０４は、その他の各種の機能を任意に有する。例えば、付加機能部１０４は、ＰＯＮ信号処理部１１０等における各種の処理でエラーが発生した場合に、アラームを通知する。なお、Ｃ−ＯＮＵ５１は、図示しないその他の各種の機能部を有してもよい。
【００３２】
通信部１０５は、各種の装置と通信を行う。具体的には、通信部１０５は、複数の上位装置８０１〜８０ｎとＣノード５０とが接続される複数の光伝送路２０１〜２０ｎのうちいずれかの光伝送路を介して複数の上位装置８０１〜８０ｎのうちいずれかの上位終端装置と通信を行う。
【００３３】
例えば、通信部１０５は、ＯＬＴ１０や他のＣノード５０、Ｃ−ＯＬＴ５２などと通信を行う。一例としては、通信部１０５は、Ｃノード５０より上位にあるＯＬＴ１０や他のＣノード５０との間に形成される複数の光伝送路２０のうちいずれかの光伝送路を介して通信を行う。他の例では、通信部１０５は、切替部５３を介して、Ｃ−ＯＬＴ５２と通信を行う。
【００３４】
図３に示すように、通信部１０５は、Ｃ−ＯＬＴとの接続ポート１０８と、ＰＯＮ−ＩＦポート１０９と、ＰＯＮ信号処理部１１０とを有する。
【００３５】
Ｃ−ＯＬＴとの接続ポート１０８及びＰＯＮ−ＩＦポート１０９は、外部からの信号を処理する。例えば、Ｃ−ＯＬＴとの接続ポート１０８は、切替部５３を介して、Ｃ−ＯＬＴ５２との間で信号を送受信する。ＰＯＮ−ＩＦポート１０９は、上位装置８０との間で信号を送受信する。
【００３６】
ＰＯＮ信号処理部１１０は、例えば、Ｃノード５０で送受信される各種信号（例えば、フレーム）に対する処理を制御する。ＰＯＮ信号処理部１１０は、図３に示すように、上り信号処理部１１０ａと、ＭＰＣＰ処理部１１０ｂと、下り信号処理部１１０ｃとを有する。
【００３７】
上り信号処理部１１０ａは、例えば、上りのバースト信号を再生する。また、上り信号処理部１１０ａは、シリアルな上り信号をパラレルに変換する処理を行う。また、上り信号処理部１１０ａは、上り信号の誤り訂正を行う。
【００３８】
ＭＰＣＰ処理部１１０ｂは、例えば、信号を送信するタイミングを通知する処理を行う。また、ＭＰＣＰ処理部１１０ｂは、送信要求元（例えば、ＯＬＴ１０やＣノード５０）から受信した送信タイミングの要求や問い合わせに対する処理を行う。
【００３９】
下り信号処理部１１０ｃは、例えば、下りのバースト信号を再生する。また、下り信号処理部１１０ｃは、シリアルな下り信号をパラレルに変換する処理を行う。また、下り信号処理部１１０ｃは、下り信号の誤り訂正を行う。
【００４０】
検知部１０６は、任意の部分に対し障害の監視及び検知を行う。具体的には、検知部１０６は、外部装置と接続される光伝送路の障害を検知する。例えば、検知部１０６は、複数の上位装置８０１〜８０ｎと接続される複数の光伝送路２０１〜２０ｎに発生した障害を検知する。一例としては、検知部１０６は、光伝送路２０１〜２０ｎのうち、通信に用いられている光伝送路２０１に発生した障害を検知する。他の例では、検知部１０６は、上位装置８０や光スプリッタ７０に発生した障害を検知する。
【００４１】
通知部１０７は、障害に関する情報を通知する。例えば、通知部１０７は、検知部１０６によって障害が検知された場合に、ＰＯＮ−ＩＦポート１０９を介して、上位装置８０へ障害情報を通知する。他の例では、通知部１０７は、Ｃ−ＯＬＴ５２との接続ポート１０８を介して障害情報を受信し、受信した障害情報を上位装置８０へ送信する。また、他の例では、通知部１０７は、Ｃ−ＯＬＴ５２の障害情報をインバウンドまたはアウトバウンドで受信し、受信した障害情報を上位装置８０へ送信する。なお、通知部１０７は、外部の通信線を介して障害情報を受信してもよい。また、通知部１０７は、通信経路の切り替えが必要な場合には、通信経路の切替要求を上位装置８０へ通知する。
【００４２】
図２の説明に戻って、Ｃ−ＯＬＴ５２は、下位終端装置と光伝送路を介して接続される局側の通信機能部である。例えば、Ｃ−ＯＬＴ５２は、光スプリッタ７０３を介して、Ｃノード５０より下位の位置にある複数の下位装置９０１〜９０ｎ（例えば、ＯＮＵ３０やＣノード５０）と接続される。
【００４３】
ここで、図４を用いて、図２に示したＣ−ＯＬＴ５２の構成を詳細に説明する。図４は、第１の実施の形態に係るＣ−ＯＬＴの構成を示すブロック図である。図４に示すように、Ｃ−ＯＬＴ５２は、電源部１１１と、外部計算処理部１１２と、記憶部１１３と、付加機能部１１４と、通信部１１５と、検知部１１６と、通知部１１７とを有する。
【００４４】
電源部１１１は、電源制御を行う。例えば、電源部１１１は、Ｃ−ＯＬＴ５２への給電を制御する。外部計算処理部１１２は、各種の計算を行う。例えば、外部計算処理部１１２は、後述のＭＰＣＰ処理部１２０ｂによって実行される演算を行う。記憶部１１３は、各種の情報を記憶する。例えば、記憶部１１３は、各種ファームウェアを記憶する。そして、記憶部１１３は、後述するＰＯＮ信号処理部１２０におけるフレーム処理時にバッファとして利用される。付加機能部１１４は、その他の各種の機能を任意に有する。例えば、付加機能部１１４は、ＰＯＮ信号処理部１２０等における各種の処理でエラーが発生した場合に、アラームを通知する。なお、Ｃ−ＯＬＴ５２は、図示しないその他の各種の機能部を有してもよい。
【００４５】
通信部１１５は、各種の装置と通信を行う。具体的には、通信部１１５は、下位終端装置と通信を行う。例えば、通信部１１５は、下位装置９０１〜９０ｎ（例えば、ＯＮＵ３０や下位の位置にあるＣノード５０）と通信を行う。
【００４６】
図４に示すように、通信部１１５は、ＰＯＮ−ＩＦポート１１８と、Ｃ−ＯＮＵとの接続ポート１１９と、ＰＯＮ信号処理部１２０とを有する。
【００４７】
ＰＯＮ−ＩＦポート１１８及びＣ−ＯＮＵとの接続ポート１１９は、外部からの信号を処理する。例えば、ＰＯＮ−ＩＦポート１１８は、下位の位置にあるＰＯＮに属する下位装置９０との間で信号を送受信する。Ｃ−ＯＮＵとの接続ポート１１９は、Ｃ−ＯＬＴ５２より上位の位置にある装置内のＣ−ＯＮＵ５１との間で信号を送受信する。
【００４８】
ＰＯＮ信号処理部１２０は、例えば、Ｃノード５０で送受信される各種信号（例えば、フレーム）に対する処理を制御する。ＰＯＮ信号処理部１２０は、図４に示すように、上り信号処理部１２０ａと、ＭＰＣＰ処理部１２０ｂと、下り信号処理部１２０ｃとを有する。
【００４９】
上り信号処理部１２０ａは、例えば、上りのバースト信号を再生する。また、上り信号処理部１２０ａは、シリアルな上り信号をパラレルに変換する処理を行う。また、上り信号処理部１２０ａは、上り信号の誤り訂正を行う。
【００５０】
ＭＰＣＰ処理部１２０ｂは、例えば、信号を送信するタイミングを通知する処理を行う。また、ＭＰＣＰ処理部１２０ｂは、送信要求元（例えば、Ｃ−ＯＮＵ５１や下位装置９０）から受信した送信タイミングの要求や問い合わせに対する処理を行う。
【００５１】
下り信号処理部１２０ｃは、例えば、下りのバースト信号を再生する。また、下り信号処理部１２０ｃは、シリアルな下り信号をパラレルに変換する処理を行う。また、下り信号処理部１２０ｃは、下り信号の誤り訂正を行う。
【００５２】
検知部１１６は、任意の部分に対し障害の監視及び検知を行う。具体的には、検知部１１６は、外部装置と接続される光伝送路の障害を検知する。例えば、検知部１１６は、下位装置９０（例えば、ＯＮＵ３０やＣノード５０）と接続される光伝送路の障害を検知する。他の例では、検知部１１６は、下位装置９０や光スプリッタ７０に発生した障害を検知する。
【００５３】
通知部１１７は、障害に関する情報を通知する。例えば、通知部１１７は、検知部１１６によって障害が検知された場合に、Ｃ−ＯＮＵとの接続ポート１１９を介して、Ｃ−ＯＮＵ５１へ障害情報を通知する。他の例では、通知部１１７は、障害情報をインバウンドまたはアウトバウンドで接続するＣ−ＯＮＵ５１へ障害情報を通知する。また、通知部１１７は、通信経路の切り替えが必要な場合には、通信経路の切替要求をＣ−ＯＮＵ５１へ通知する。
【００５４】
切替部５３は、通信障害の状況に応じて通信経路を切り替える。具体的には、切替部５３は、後述する通信部１２５によって用いられる光伝送路を、障害状況に応じて複数の光伝送路のうちいずれかの光伝送路に切り替える。例えば、切替部５３は、障害が発生した通信経路から障害が発生していない他の通信経路に切り替える。一例としては、切替部５３は、後述する検知部１２６によって光伝送路２０１に障害が発生したことが検知された場合に、光伝送路２０１から光伝送路２０２に切り替える。これにより、切替部５３は、他の上位装置８０と接続することができるので、通信障害を解消し、通信を継続することができる。
【００５５】
図５を用いて、図２に示した切替部５３の構成を詳細に説明する。図５は、第１の実施の形態に係る切替部の構成を示すブロック図である。図５に示すように、切替部５３は、電源部１２１と、外部計算処理部１２２と、記憶部１２３と、付加機能部１２４と、通信部１２５と、検知部１２６と、通知部１２７とを有する。
【００５６】
電源部１２１は、電源制御を行う。例えば、電源部１２１は、切替部５３への給電を制御する。外部計算処理部１２２は、各種の計算を行う。例えば、外部計算処理部１２２は、後述の切替処理部１３０によって実行される演算を行う。記憶部１２３は、各種の情報を記憶する。例えば、記憶部１２３は、各種ファームウェアを記憶する。そして、記憶部１２３は、後述する切替処理部１３０におけるフレーム処理時にバッファとして利用される。付加機能部１２４は、その他の各種の機能を任意に有する。例えば、付加機能部１２４は、切替処理部１３０等における各種の処理でエラーが発生した場合に、アラームを通知する。なお、切替部５３は、図示しないその他の各種の機能部を有してもよい。
【００５７】
通信部１２５は、各種の機能部と通信を行う。具体的には、通信部１２５は、Ｃ−ＯＮＵ５１やＣ−ＯＬＴ５２などと通信を行う。図５に示すように、通信部１２５は、Ｃ−ＯＬＴとの接続ポート１２８と、Ｃ−ＯＮＵとの接続ポート１２９と、指示部１３１と、切替処理部１３０とを有する。
【００５８】
Ｃ−ＯＬＴとの接続ポート１２８は、例えば、Ｃ−ＯＬＴ５２との間で信号を送受信する。Ｃ−ＯＮＵとの接続ポート１２９は、例えば、Ｃ−ＯＮＵ５１との間で信号を送受信する。
【００５９】
指示部１３１は、切替処理の指示を行う。具体的には、指示部１３１は、通信経路の切り替えを要求する切替情報を受信する。そして、指示部１３１は、切替情報を受信した場合に、切替指示を切替処理部１３０に送信する。例えば、指示部１３１は、Ｃ−ＯＮＵとの接続ポート１２９を介して主系のＣ−ＯＮＵ５１から切替情報を受信する。そして、指示部１３１は、受信した切替情報に基づいて切替指示を切替処理部１３０に送信する。
【００６０】
また、指示部１３１は、通信経路の切り替えに関する状況を示す切替状況を送受信する。具体的には、指示部１３１は、切替処理部１３０から切替状況を受信する。そして、指示部１３１は、Ｃ−ＯＮＵとの接続ポート１２９を介して、受信した切替状況を上位装置８０へ送信する。
【００６１】
切替処理部１３０は、通信経路の切替処理を実行する。具体的には、切替処理部１３０は、Ｃ−ＯＮＵとの接続ポート１２９を介して上位装置８０から受信される切替情報に基づいて、通信経路の切替処理を実行する。上位装置８０からの指示に従って切替処理を実行するのは、ＯＬＴ１０などの上位装置８０側で信号の送付先を変更するためのテーブルの書き換え処理などの準備ができるからである。例えば、切替処理部１３０は、指示部１３１から切替指示を受信した場合に、指示された通信経路の切り替えを行う。なお、切替処理部１３０は、上位装置８０からの指示に限らず、Ｃノードの障害情報に基づいて任意のタイミングで通信経路の切り替えを行ってもよい。
【００６２】
検知部１２６は、任意の部分に対し障害の監視及び検知を行う。具体的には、検知部１２６は、主信号の導通経路にある処理部であるＣ−ＯＬＴとの接続ポート１２８や、Ｃ−ＯＮＵとの接続ポート１２９などの状態を監視し、障害が発生したことを検知する。
【００６３】
通知部１２７は、障害に関する情報を通知する。例えば、通知部１２７は、検知部１２６によって障害が検知された場合に、Ｃ−ＯＮＵとの接続ポート１２９を介して、Ｃ−ＯＮＵ５１へ障害情報を通知する。また、通知部１２７は、Ｃ−ＯＮＵ５１から障害情報をインバウンドまたはアウトバウンドで受信する。また、通知部１２７は、通信経路の切り替えが必要な場合には、通信経路の切替要求をＣ−ＯＮＵ５１へ通知する。
【００６４】
なお、障害の検知は、Ｃノード５０に限らず、ＯＬＴ１０が行ってもよい。また、上位装置８０が、下位装置９０との間の通信障害を検知してもよい。この場合、例えば、上位の位置にあるＣノード５０またはＯＬＴ１０が、障害が発生した通信経路から障害が発生していない他の通信経路に切り替える。また、下位装置９０が上位装置８０との間の通信障害を検知してもよい。この場合、例えば、下位の位置にあるＣノード５０が、障害が発生した通信経路から障害が発生していない他の通信経路に切り替える。
【００６５】
［処理手順］
次に、図６を用いて、第１の実施の形態に係るＰＯＮシステム１における切替処理の流れについて説明する。図６は、第１の実施の形態に係るＰＯＮシステムにおける切替処理の流れを示すシーケンス図である。
【００６６】
図６の例では、実際に通信を行っている主系の上位装置８０（例えば、ＯＬＴ１０または上位の位置にあるＣノード５０）は、上位装置８０より下位の位置にあるＣノード５０の障害を検知した場合に、冗長系（副系）の通信経路を用いた通信を開始する。
【００６７】
具体的には、主系の上位装置８０は、図６に示すように、実際に通信を行っている主系のＣノード５０に対して、障害ステータス通知のリクエストを定期的に送信する。例えば、主系の上位装置８０は、主系の上位装置８０に接続される光伝送路のうち通信に用いられている光伝送路に接続される主系のＣノード５０に対して、通信状態を示す障害ステータス通知のリクエストを送信する（ステップＳ１０１）。
【００６８】
そして、主系のＣノード５０は、通信状態が正常である場合には、主系の上位装置８０に対して、通信状態が正常であることを示す障害ステータス通知を送信する（ステップＳ１０２）。そして、主系の上位装置８０は、主系のＣノード５０から障害ステータス通知を受信した場合に、副系の上位装置８０に障害ステータス通知を送信する（ステップＳ１０３）。主系の上位装置８０及び主系のＣノード５０は、通信状態が正常である場合には、上述したステップＳ１０１〜Ｓ１０３を所定の期間ごとに繰り返し実行する。
【００６９】
その後、主系のＣノード５０に障害が発生したものとする。この場合、主系の上位装置８０は、まず、主系のＣノード５０に対して、通信状態を示す障害ステータス通知のリクエストを送信する（ステップＳ１０４）。
【００７０】
そして、主系のＣノード５０は、障害などが発生し通信状態が正常でないので、主系の上位装置８０に対して、通信経路の切り替えを求める障害ステータス通知を送信する（ステップＳ１０５）。すなわち、主系のＣノード５０は、障害を検知して経路の切り替えが必要と判断した場合に、主系の上位装置８０に対して、通信経路の切替許可を求める。
【００７１】
そして、主系の上位装置８０は、通信経路の切り替えを求める障害ステータス通知を受信した場合に、副系の上位装置８０に対して、切替の準備を要求する切替スタンバイ要求を含む障害ステータス通知を送信する（ステップＳ１０６）。これにより、副系の上位装置８０は、切替の準備を行う。
【００７２】
また、主系の上位装置８０は、主系のＣノード５０に対して、通信経路の切り替えを指示する切替指示を送信する（ステップＳ１０７）。すなわち、主系の上位装置８０は、任意のタイミングで、主系のＣノード５０に対して、経路の切替指示を送信することで、主系のＣノード５０に通信経路の切替えを実行させる。
【００７３】
その後、主系のＣノード５０は、切替指示を受信した場合に、上位装置８０に接続される光伝送路のうち通信に用いられていない副系のＣノード５０に接続された光伝送路に通信経路を切り替える（ステップＳ１０８）。
【００７４】
そして、副系のＣノード５０は、主系のＣノード５０によって通信経路が切り替えられた場合に、副系の上位装置８０に対して、切替完了通知を送信する（ステップＳ１０９）。すなわち、副系のＣノード５０は、経路切替制御の実行結果を副系の上位装置８０に通知する。
【００７５】
その後、副系の上位装置８０は、副系のＣノード５０に対して、障害ステータス通知のリクエストを送信する（ステップＳ１１０）。そして、副系のＣノード５０は、通信状態が正常である場合には、副系の上位装置８０に対して、通信状態が正常であることを示す障害ステータス通知を送信する（ステップＳ１１１）。そして、副系の上位装置８０は、副系のＣノード５０から障害ステータス通知を受信した場合に、主系の上位装置８０に障害ステータス通知を送信する（ステップＳ１１２）。すなわち、副系の上位装置８０は、副系のＣノード５０の通信経路に切り替えが成功した場合に、障害ステータス通知のリクエストを定期的に繰り返し副系のＣノード５０に送信することで、障害監視及び障害ステータス通知を行う。
【００７６】
なお、上記の切替処理は、副系の上位装置８０が切替指示を行ってもよい。この点について、図７を用いて説明する。図７は、第１の実施の形態に係るＰＯＮシステムにおける切替処理の流れを示すシーケンス図である。
【００７７】
具体的には、ＰＯＮシステム１は、まず、図６に示すステップＳ１０１〜Ｓ１０６と同様の処理を実行する。そして、副系の上位装置８０は、主系の上位装置８０から障害ステータス通知を受信した場合に、主系の上位装置８０に対して、通信経路の切り替えを指示する切替指示を送信する（ステップＳ１２７）。また、副系の上位装置８０は、主系のＣノード５０に対して、通信経路の切り替えを指示する切替指示を送信する（ステップＳ１２８）。その後、ＰＯＮシステム１は、図６に示すステップＳ１０８〜Ｓ１１２と同様の処理を実行する。
【００７８】
このように、ＰＯＮシステム１は、副系の上位装置８０が切替指示を行う。これにより、ＰＯＮシステム１は、副系の上位装置８０が主導して切替処理を実行することができるので、主系の上位装置８０に障害が発生して副系の上位装置８０が主系の上位装置８０の代わりに通信を引き継ぐ場合などに有効である。
【００７９】
また、上記の切替処理は、Ｃノード５０による判断に基づいて行われてもよい。例えば、障害が発生した主系のＣノード５０は、上位装置８０に対して障害通知や経路切替要求の通知が不可能または困難な場合に、主系のＣノード５０の判断によって通信経路の切り替えを実行する。この点について、図８を用いて説明する。図８は、第１の実施の形態に係るＰＯＮシステムにおける切替処理の流れを示すシーケンス図である。
【００８０】
具体的には、主系の上位装置８０は、図７に示すように、実際に通信を行っている主系のＣノード５０に対して、障害ステータス通知のリクエストを定期的に送信する。例えば、主系の上位装置８０は、主系の上位装置８０に接続される光伝送路のうち通信に用いられている光伝送路に接続される主系のＣノード５０に対して、通信状態を示す障害ステータス通知のリクエストを送信する（ステップＳ１４１）。
【００８１】
そして、主系のＣノード５０は、通信状態が正常である場合には、主系の上位装置８０に対して、通信状態が正常であることを示す障害ステータス通知を送信する（ステップＳ１４２）。そして、主系の上位装置８０は、主系のＣノード５０から障害ステータス通知を受信した場合に、副系の上位装置８０に障害ステータス通知を送信する（ステップＳ１４３）。主系の上位装置８０及び主系のＣノード５０は、通信状態が正常である場合には、上述したステップＳ１４１〜Ｓ１４３を繰り返し実行する。
【００８２】
その後、主系のＣノード５０に障害通知や経路切替要求の通知を送信することが不可能となる障害が発生したものとする。この場合、まず、主系の上位装置８０は、主系のＣノード５０に対して、障害ステータス通知のリクエストを送信する（ステップＳ１４４）。
【００８３】
その後、主系のＣノード５０は、主系の上位装置８０に障害ステータス通知を送信せずに、障害を検知する（ステップＳ１４５）。そして、主系のＣノード５０は、通信経路の切り替えを求める障害ステータス通知を上位装置８０に送信せずに、上位装置８０に接続される光伝送路のうち通信に用いられていない副系のＣノード５０に接続された光伝送路に通信経路を切り替える（ステップＳ１４６）。
【００８４】
そして、副系のＣノード５０は、主系のＣノード５０によって通信経路が切り替えられた場合に、副系の上位装置８０に対して、切替完了通知を送信する（ステップＳ１４７）。すなわち、副系のＣノード５０は、経路切替制御の実行結果を副系の上位装置８０に通知する。
【００８５】
その後、副系の上位装置８０は、副系のＣノード５０に対して、障害ステータス通知のリクエストを送信する（ステップＳ１４８）。そして、副系のＣノード５０は、通信状態が正常である場合には、副系の上位装置８０に対して、通信状態が正常であることを示す障害ステータス通知を送信する（ステップＳ１４９）。そして、副系の上位装置８０は、副系のＣノード５０から障害ステータス通知を受信した場合に、主系の上位装置８０に障害ステータス通知を送信する（ステップＳ１５０）。
【００８６】
［第１の実施の形態の効果］
このように、第１の実施の形態に係るＰＯＮシステム１は、Ｃノード５０が複数の上位装置８０と接続される第１のＰＯＮと、Ｃノード５０が下位装置９０と接続される第２のＰＯＮとを有するＰＯＮシステムであって、Ｃノード５０は、複数の上位装置８０とＣノード５０とが接続される複数の光伝送路２０のうちいずれかの光伝送路を介して複数の上位装置８０のうちいずれかの上位装置と通信を行う通信部１０５と、通信部１０５によって用いられる光伝送路を、障害状況に応じて複数の光伝送路のうちいずれかの光伝送路に切り替える切替部５３とを有する。
【００８７】
これにより、第１の実施の形態に係るＰＯＮシステム１は、通信障害が発生した場合に、冗長経路に通信を切り替えることで通信障害を解消することができるので、信頼性を高めることができる。例えば、ＰＯＮシステム１は、上位装置の障害や光スプリッタ下部の光伝送路の障害による通信不能状態の影響を抑制することでできるので、通信障害が発生しても通信を継続することができる。
【００８８】
［変形例］
（バックアップ専用の上位装置）
上記の実施形態では、ＰＯＮシステム１は、Ｃノード５０が複数の上位装置８０と接続される第１のＰＯＮと、Ｃノード５０が下位装置９０と接続される第２のＰＯＮとを有する例を示した。ここで、ＰＯＮシステム１は、バックアップ専用の上位装置を有してもよい。
【００８９】
この点について、図９を用いて、変形例に係るＰＯＮシステム２の構成を説明する。図９は、変形例に係るＰＯＮシステム２の構成を示す図である。ＰＯＮシステム２は、図９に示すように、複数のＯＬＴ１０１〜１０ｎと、複数のＣノード５０１１〜５０１ｎと、複数の光スプリッタ７０１〜７０ｎとを有する。
【００９０】
ここで、ＯＬＴ１０２は、バックアップ専用の上位装置８０である。例えば、ＯＬＴ１０２は、実際に通信を行っている主系の上位装置８０であるＯＬＴ１０１及びＯＬＴ１０ｎのバックアップを行う副系の上位装置８０である。
【００９１】
具体的には、ＯＬＴ１０２は、光スプリッタ７０２を介して、ＯＬＴ１０１やＯＬＴ１０ｎの配下に属する複数のＣノード５０１１〜５０１ｎと接続される。例えば、ＯＬＴ１０２は、光スプリッタ７０２を介して、複数のＣノード５０１１〜５０１ｎとの間で副系の光伝送路２０２１〜２０２ｎが形成される。すなわち、ＯＬＴ１０２は、副系のＰＯＮとして、主系のＰＯＮとなるＯＬＴ１０１やＯＬＴ１０ｎのバックアップを行う。
【００９２】
なお、副系の光伝送路２０２１〜２０２ｎは、Ｃノード５０１１〜５０１ｎとの間でそれぞれ複数の冗長経路を形成してもよい。例えば、Ｃノード５０１１は、ＯＬＴ１０２との間で副系の光伝送路２０２１だけでなく複数の光伝送路が形成されてもよい。また、副系の光伝送路２０２１〜２０２ｎは、複数のＰＯＮの冗長経路を一手に引き受ける形で、各Ｃノードと接続されてもよい。
【００９３】
これにより、ＰＯＮシステム２は、副系のＯＬＴ１０２によって他のＯＬＴ１０１〜１０ｎの配下に属するＣノード５０１１〜５０１ｎとの間の冗長経路を確保することができるため、効率的に冗長経路を構築することができる。
【００９４】
なお、ＰＯＮシステム２では、１つのＰＯＮに複数の冗長経路を必要とするＣノード５０が存在する場合にも、上述の副系のＰＯＮを形成するＯＬＴ１０２を用いてもよい。この場合、副系のＰＯＮの分岐数が、主系のＰＯＮよりも多い場合には、余剰な光伝送路を他のＰＯＮの副系の光伝送路として用いてもよい。また、副系のＰＯＮの分岐数が主系のＰＯＮよりも少ない場合には、副系の上位装置を複数用いることで分担して副系のＰＯＮを構成してもよい。
【００９５】
（余剰な光伝送路によって副系を構築）
上記の変形例では、ＰＯＮシステム２は、バックアップ専用の上位装置を有する例を示した。ここで、ＰＯＮシステム２は、余剰な光伝送路を用いて副系の上位装置を構築してもよい。
【００９６】
この点について、図１０を用いて、変形例に係るＰＯＮシステム３の構成を説明する。図１０は、変形例に係るＰＯＮシステム３の構成を示す図である。ＰＯＮシステム３は、図１０に示すように、複数のＯＬＴ１０１〜１０２と、複数のＣノード５０１１〜５０１ｎと、複数の光スプリッタ７０１〜７０２とを有する。
【００９７】
具体的には、ＯＬＴ１０１は、光スプリッタ７０１を介して、ＯＬＴ１０１の配下に属する複数のＣノード５０１１〜５０１２と接続される。例えば、ＯＬＴ１０１は、光スプリッタ７０１を介して、複数のＣノード５０１１〜５０１２との間で副系の光伝送路２０１１〜２０１ｎが形成される。
【００９８】
ＯＬＴ１０２は、光スプリッタ７０２を介して、ＯＬＴ１０２の配下に属するＣノード５０１ｎと接続される。例えば、ＯＬＴ１０２は、光スプリッタ７０２を介して、Ｃノード５０１ｎとの間で光伝送路２０２ｎが形成される。
【００９９】
また、ＯＬＴ１０２は、ＯＬＴ１０１の配下に属するＣノード５０１２と接続される。例えば、ＯＬＴ１０２は、光スプリッタ７０２を介して、Ｃノード５０１２との間で光伝送路２０Ｓが形成される。すなわち、ＯＬＴ１０２は、ＯＬＴ１０２の配下に属するＣノード５０１ｎの主系の上位装置とともに、ＯＬＴ１０１の配下に属するＣノード５０１２の副系の上位装置として動作する。
【０１００】
これにより、ＰＯＮシステム３は、余剰な光伝送路を用いて副系の上位装置を構築することができるので、効率的に副系の冗長経路を設けることができる。例えば、ＰＯＮシステム３は、主に通信を行う上位装置の余剰な光伝送路を用いることで、バックアップ専用の上位装置を別個に構築することなく、より低い費用で副系の冗長経路を構築することができる。
【０１０１】
（複数の冗長経路）
上記の実施形態では、ＰＯＮシステム１は、Ｃノード５０が複数の上位装置８０と接続される第１のＰＯＮと、Ｃノード５０が下位装置９０と接続される第２のＰＯＮとを有する例を示した。ここで、ＰＯＮシステム１は、Ｃノード５０が上位装置８０と複数の冗長経路によって接続されてもよい。
【０１０２】
この点について、図１１を用いて、変形例に係るＰＯＮシステム４の構成を説明する。図１１は、変形例に係るＰＯＮシステム４の構成を示す図である。ＰＯＮシステム４は、図１１に示すように、複数のＯＬＴ１０１〜１０２と、複数のＯＮＵ３０２１〜３０２ｍと、複数のＣノード５０１１〜５０１ｎ及び５０２１は、複数の光スプリッタ７０１〜７０３を介して接続される。
【０１０３】
具体的には、Ｃノード５０１１は、光スプリッタ７０１を介して、ＯＬＴ１０１との間で複数の光伝送路２０１ｎ及び光伝送路２０ｂを形成する。また、Ｃノード５０１１は、光スプリッタ７０２を介して、ＯＬＴ１０２との間で光伝送路２０Ｓを形成する。すなわち、図１１の例では、Ｃノード５０１１は、ＯＬＴ１０１との間の光伝送路２０１ｎとＯＬＴ１０２との間の冗長経路である光伝送路２０Ｓとに加えて、光伝送路２０ｂによってさらに冗長経路が形成される。
【０１０４】
これにより、ＰＯＮシステム４は、上位装置との間に複数の冗長経路を形成するので、通信の信頼性をより高めることができる。例えば、ＰＯＮシステム４は、Ｃノードが主に通信を行っている主系の上位装置と接続された光スプリッタ下段の光伝送路の障害や、Ｃノードの上段側装置との通信部に障害が発生した場合に、通信断を回避することができる。また、ＰＯＮシステム４は、Ｃノードが通信を行う上位装置を変えずに冗長経路に切り替えるので、他の上位装置へ光伝送路を切り替えて通信を回復させる場合と比較して、同じ装置内で切り替えを完結することができる。このため、ＰＯＮシステム４は、上段装置側の切替手順や切替処理を単純化することができる。したがって、ＰＯＮシステム４は、複数の冗長経路の選択手段を用いることにより、障害の度合いに応じて適した切替手段や経路を選択することができる。
【０１０５】
［第２の実施の形態］
上記の第１の実施の形態では、Ｃノード５０は、１つのＣ−ＯＮＵ５１を有する場合を説明したが、複数のＣ−ＯＮＵ５１を有してもよい。具体的には、第２の実施の形態に係るＣノード２５０は、複数の上位装置８０１〜８０ｎと光伝送路２０を介して接続される複数のＣ−ＯＮＵ２５１１１〜２５１ｎｎと、複数のＣ−ＯＮＵ２５１１１〜２５１ｎｎのいずれかと接続されるとともに、第２のＰＯＮに含まれる下位装置９０と接続されるＣ−ＯＬＴ５２とをさらにＣノード２５０内に有し、通信部２２５は、Ｃノード２５０内に有する複数のＣ−ＯＮＵ２５１１１〜２５１ｎｎのいずれかを介して第１のＰＯＮに含まれる複数の上位装置８０１〜８０ｎのいずれかと通信を行い、Ｃノード２５０内に有するＣ−ＯＬＴ５２を介して第２のＰＯＮに含まれる下位装置９０１〜９０ｎと通信を行い、切替部２５３は、障害状況に応じてＣノード２５０内に有するＣ−ＯＬＴ５２と複数のＣ−ＯＮＵ２５１１１〜２５１ｎｎのいずれかとの接続を切り替えることで、複数のＣ−ＯＮＵ２５１１１〜２５１ｎｎのうち第１のＰＯＮに含まれる複数の上位装置９０１〜９０ｎのいずれかと通信を行うＣ−ＯＮＵを切り替える。この点について、図１２を用いて詳細に説明する。なお、以下では、上記の実施の形態と同様の機能を発揮する機能部については同一の符号を付し、その説明を省略することとする。
【０１０６】
［Ｃノードの構成］
図１２は、第２の実施の形態に係るＣノード２５０の構成を示す図である。図１２に示すように、Ｃノード２５０は、複数のＣ−ＯＮＵ２５１１１〜２５１ｎｎと、Ｃ−ＯＬＴ５２と、切替部２５３とを有する。なお、以下では、Ｃ−ＯＮＵ２５１１１〜２５１ｎｎを、それぞれＣ−ＯＮＵ２５１と表記する場合がある。
【０１０７】
複数のＣ−ＯＮＵ２５１１１〜２５１ｎｎは、それぞれ第１の実施の形態に係るＣ−ＯＮＵ５１と同様の機能を有する。また、複数のＣ−ＯＮＵ２５１１１〜２５１ｎｎは、それぞれ主系または副系の上位装置８０１〜８０ｎ（例えば、上位の位置にあるＯＬＴ１０またはＣノード２５０）と光スプリッタ７０を介して光伝送路２０により接続される。
【０１０８】
切替部２５３は、複数のＣ−ＯＮＵ２５１１１〜２５１ｎｎとＣ−ＯＬＴ５２と接続される。そして、切替部２５３は、複数のＣ−ＯＮＵ２５１１１〜２５１ｎｎとＣ−ＯＬＴ５２とを接続する通信経路を切り替える。この点について、図１３を用いて説明する。
【０１０９】
図１３は、第２の実施の形態に係る切替部２５３の構成を示す図である。図１３に示すように、切替部２５３は、図５に示す切替部５３と比較して、通信部２２５と、検知部２２６とを有する点が異なる。
【０１１０】
通信部２２５は、Ｃノード２５０内に有する複数のＣ−ＯＮＵ２５１１１〜２５１ｎｎのいずれかを介して第１のＰＯＮに含まれる上位装置８０１〜８０ｎと通信を行い、Ｃノード２５０内に有するＣ−ＯＬＴ５２を介して第２のＰＯＮに含まれる下位装置９０１〜９０ｎと通信を行う。具体的には、通信部２２５は、図５に示す通信部１２５と比較して、複数のＣ−ＯＮＵとの接続ポート２２９１〜２２９ｎと、切替処理部２３０と、指示部２３１とを有する点が異なる。複数のＣ−ＯＮＵとの接続ポート２２９１〜２２９ｎは、それぞれ複数のＣ−ＯＮＵ２５１１１〜２５１ｎｎと接続される。これにより、複数のＣ−ＯＮＵとの接続ポート２２９１〜２２９ｎは、それぞれ複数のＣ−ＯＮＵ２５１１１〜２５１ｎｎと通信を行う。
【０１１１】
切替処理部２３０は、障害状況に応じてＣノード２５０内に有するＣ−ＯＬＴ５２と複数のＣ−ＯＮＵ２５１１１〜２５１ｎｎのいずれかとの接続を切り替えることで、複数のＣ−ＯＮＵ２５１１１〜２５１ｎｎのうち第１のＰＯＮに含まれる上位装置８０１〜８０ｎと通信を行うＣ−ＯＮＵを切り替える。具体的には、切替処理部２３０は、通信に使用中である主系のＣ−ＯＮＵ２５１に障害が検知された場合に、上位の位置にあるＯＬＴ１０またはＣノード５０と信号の通信可能な予備導通経路である他のＣ−ＯＮＵに接続を切り替える。これにより、切替処理部２３０は、使用中のＣ−ＯＮＵに障害が発生しても通信を維持することができる。
【０１１２】
指示部２３１は、指示部１３１と比較して、Ｃ−ＯＮＵとの接続ポート２２９１〜２２９ｎを介してＣ−ＯＮＵ２５１１１〜２５１ｎｎから切替情報を受信する点が異なる。また、指示部２３１は、指示部１３１と比較して、Ｃ−ＯＮＵとの接続ポート２２９１〜２２９ｎを介して、受信した切替状況をＣ−ＯＮＵ２５１１１〜２５１ｎｎへ送信する点が異なる。
【０１１３】
検知部２２６は、任意の部分に対し障害の監視及び検知を行う。具体的には、検知部２２６は、主信号の導通経路にある処理部であるＣ−ＯＬＴとの接続ポート１２８や、Ｃ−ＯＮＵとの接続ポート２２９１〜２２９ｎ、切替処理部２３０となどの状態を監視し、障害が発生したことを検知する。また、検知部２２６は、外部装置と接続される光伝送路の障害を検知する。例えば、検知部２２６は、Ｃ−ＯＬＴ５２やＣ−ＯＮＵ２５１１１〜２５１ｎｎに発生した障害を検知する。また、検知部２２６は、装置内の各部の障害を検知してもよい。例えば、検知部２２６は、電源部１２１や、外部計算処理部１２２、記憶部１２３、付加機能部１２４、通信部２２５、通知部１２７に発生した障害を検知する。
【０１１４】
［処理手順］
次に、図１４を用いて、上位装置８０（例えば、ＯＬＴ１０または上位Ｃノード２５０）が主体となり切替指示を行う場合の切替処理の流れについて説明する。例えば、間もなく障害が発生する状況であるものの通信可能な状態である場合に、上位装置８０が主体となって切替指示を行う。図１４は、第２の実施の形態に係るＣノード２５０における切替処理の流れを示すフローチャートである。
【０１１５】
例えば、上位装置８０は、図１４に示すように、下位に位置するＣノード２５０から障害検知又は切替リクエストを受信したか否かを判定する（ステップＳ２０１）。ここで、上位装置８０は、障害検知又は切替リクエストを受信した場合には（ステップＳ２０１；有）、他の上位装置（例えば、冗長経路に接続されたＯＬＴ１０）へ通信を引き継ぎ可能か否かを判定する（ステップＳ２０２）。
【０１１６】
ここで、上位装置８０は、冗長経路に接続されたＯＬＴ１０へ通信を引き継ぎ可能と判定した場合には（ステップＳ２０２；可）、通信経路を冗長経路へ切り替える切替指示をＣノード２５０に送信する（ステップＳ２０３）。
【０１１７】
その後、上位装置８０は、Ｃノード２５０から切替完了通知を受信したか否かを判定する（ステップＳ２０４）。ここで、上位装置８０は、Ｃノード２５０から切替完了通知を受信したと判定した場合には（ステップＳ２０４；成功）、経路の切替処理を完了する（ステップＳ２０５）。
【０１１８】
一方、上位装置８０は、障害検知又は切替リクエストを受信していない場合には（ステップＳ２０１；無または不要）、Ｃノード２５０との通信可否を判定する（ステップＳ２０６）。ここで、上位装置８０は、Ｃノード２５０との通信可と判定した場合には（ステップＳ２０６；可）、通信経路を維持する（ステップＳ２０８）。また、上位装置８０は、冗長ＯＬＴ１０に通信の引き継ぎ不可と判定した場合にも（ステップＳ２０２；不可）、通信経路を維持する（ステップＳ２０８）。また、上位装置８０は、Ｃノード２５０から切替完了通知を受信していないと判定した場合にも（ステップＳ２０４；無または失敗）、通信経路を維持する（ステップＳ２０８）。
【０１１９】
その後、上位装置８０は、ステップＳ２０１を再び実行する。なお、上位装置８０は、Ｃノード２５０との通信不可と判定した場合には（ステップＳ２０６；不可）、後述するＣノード主体の切替処理を実行する（ステップＳ２０７）。
【０１２０】
なお、上位装置８０は、このような切替処理を任意の回数繰り返し実行した場合には、切替処理を停止してもよい。また、上位装置８０は、Ｃノード２５０から定期的な状態通知が無くなった場合や、障害によってＣノード２５０から上位装置８０への通知が困難になったと判断される場合に、独自に切替指示を行ってもよい。
【０１２１】
また、切替処理は、ＯＬＴ１０や上位Ｃノード２５０などの上位装置８０に限らず、下位に位置するＣノード２５０が主体となって行ってもよい。例えば、Ｃノード２５０は、障害が発生した状況で上位装置８０から切替指示を受けることが困難な場合や、切替指示が不要な場合などに、自ら切替処理を実行する。この点について、図１５を用いて詳細に説明する。図１５は、第２の実施の形態に係るＣノード２５０における切替処理の流れを示すフローチャートである。
【０１２２】
例えば、Ｃノード２５０は、図１５に示すように、障害を検知したか否かを判定する（ステップＳ２１０）。ここで、Ｃノード２５０は、障害を検知した場合には（ステップＳ２１０；可）、上位装置８０との通信可否を判定する（ステップＳ２１１）。そして、上位装置８０との通信が可と判定された場合には（ステップＳ２１１；可）、図１４に示す上位装置８０主体の切替処理を実行する（ステップＳ２１３）。
【０１２３】
一方、Ｃノード２５０は、上位装置８０との通信が不可または不要と判定された場合には（ステップＳ２１１；不可または不要）、冗長経路に接続されたＯＬＴ１０へ通信を引き継ぎ可能か否かを判定する（ステップＳ２１４）。ここで、Ｃノード２５０は、冗長経路に接続されたＯＬＴ１０へ通信を引き継ぎ可能と判定した場合には（ステップＳ２１４；可）、経路切替制御を実行する（ステップＳ２１５）。
【０１２４】
その後、Ｃノード２５０は、切替結果を判定する（ステップＳ２１６）。ここで、Ｃノード２５０は、切り換えを成功したと判定した場合には（ステップＳ２１６；成功）、切替完了通知を上位装置８０に送信する（ステップＳ２１８）。そして、下位Ｃノード２５０は、経路切替を完了する（ステップＳ２１９）。
【０１２５】
一方、Ｃノード２５０は、切り換えを失敗したと判定した場合には（ステップＳ２１６；失敗）、切替失敗通知を送信する（ステップＳ２２０）。そして、Ｃノード２５０は、通信経路を維持する（ステップＳ２２１）。
【０１２６】
なお、Ｃノード２５０は、冗長経路に接続されたＯＬＴ１０へ通信を引き継ぎ不可と判定した場合にも（ステップＳ２１４；否）、通信経路を維持する（ステップＳ２２１）。また、Ｃノード２５０は、障害を検知しなかった場合にも（ステップＳ２１０；無）、通信経路を維持する（ステップＳ２２１）。その後、Ｃノード２５０は、ステップＳ２１０を再び実行する。なお、Ｃノード２５０は、このような切替処理を任意の回数繰り返し実行した場合には、切替処理を停止してもよい。
【０１２７】
［第２の実施の形態の効果］
このように、第２の実施の形態に係るＣノード２５０は、複数の上位装置８０１〜８０ｎと光伝送路２０を介して接続される複数のＣ−ＯＮＵ２５１１１〜２５１ｎｎと、複数のＣ−ＯＮＵ２５１１１〜２５１ｎｎのいずれかと接続されるとともに、第２のＰＯＮに含まれる下位装置９０と接続されるＣ−ＯＬＴ５２とをさらにＣノード２５０内に有し、通信部２２５は、Ｃノード２５０内に有する複数のＣ−ＯＮＵ２５１１１〜２５１ｎｎのいずれかを介して第１のＰＯＮに含まれる複数の上位装置８０１〜８０ｎのいずれかと通信を行い、Ｃノード２５０内に有するＣ−ＯＬＴ５２を介して第２のＰＯＮに含まれる下位装置９０１〜９０ｎと通信を行い、切替部２５３は、障害状況に応じてＣノード２５０内に有するＣ−ＯＬＴ５２と複数のＣ−ＯＮＵ２５１１１〜２５１ｎｎのいずれかとの接続を切り替えることで、複数のＣ−ＯＮＵ２５１１１〜２５１ｎｎのうち第１のＰＯＮに含まれる複数の上位装置９０１〜９０ｎのいずれかと通信を行うＣ−ＯＮＵを切り替える。
【０１２８】
これにより、第２の実施の形態に係るＣノード２５０は、主系となるＣ−ＯＮＵの故障による通信障害や、上段の光スプリッタからＣ−ＯＮＵに接続される光伝送路が断線や劣化などに伴う通信障害が発生した場合に、通信経路を切り替えることができるので、通信を継続することができる。例えば、第２の実施の形態に係るＣノード２５０は、上位装置８０と通信可能なＣ−ＯＮＵ２５１に切り替えることで通信を回復することができる。
【０１２９】
また、第２の実施の形態に係るＣノード２５０は、Ｃノード２５０が単数のＣ−ＯＬＴ５２を有するため上位のＰＯＮ区間の方が下位のＰＯＮ区間と比較して高い信頼性が求められ、かつ、下位ＰＯＮ区間に低コスト性が求められる場合に適している。例えば、第２の実施の形態に係るＣノード２５０は、信頼性を優先する通信会社が上位ＰＯＮ区間を管理し、低コスト性を優先する集合住宅等の管理者が下位ＰＯＮ区間を管理する場合等に適している。
【０１３０】
また、第２の実施の形態に係るＣノード２５０は、Ｃノード２５０が有するＣ-ＯＬＴ５２の数を単数にすることで、経路切替部のスイッチ構成を簡単にすることができるので、使用する部品点数を削減することができる。このため、第２の実施の形態に係るＣノード２５０は、Ｃノード２５０にかかるコストを削減することができる。
【０１３１】
［第３の実施の形態］
上記の第２の実施の形態では、Ｃノード２５０は、１つのＣ−ＯＬＴ５２を有する場合を説明したが、複数のＣ−ＯＬＴ５２を有してもよい。具体的には、第３の実施形態に係るＣノード３５０は、複数のＣ−ＯＮＵ２５１１１〜２５１２１のいずれかと接続されるとともに、第２のＰＯＮに含まれる下位装置９０１〜９０ｎと光伝送路２０を介して接続される複数のＣ−ＯＬＴ３５２１〜３５２ｎをさらにＣノード３５０内に有し、通信部３２５は、複数のＣ−ＯＬＴ３５２１〜３５２ｎのいずれかを介して第２のＰＯＮに含まれる下位装置９０１〜９０ｎと通信を行い、切替部３５３は、障害状況に応じてＣノード３５０内に有する複数のＣ−ＯＬＴ３５２１〜３５２ｎのいずれかとＣ−ＯＮＵ２５１１１〜２５１ｎｎとの接続を切り替えることで、複数のＣ−ＯＬＴ３５２１〜３５２ｎのうち第２のＰＯＮに含まれる下位装置９０１〜９０ｎと通信を行うＣ−ＯＬＴを切り替える。
【０１３２】
［Ｃノードの構成］
図１６は、第３の実施の形態に係るＣノード３５０の構成を示す図である。Ｃノード３５０は、複数のＣ−ＯＮＵ２５１１１〜２５１ｎｎのいずれかと接続されるとともに、第２のＰＯＮに含まれる下位装置９０と光伝送路を介して接続される複数のＣ−ＯＬＴ３５２１〜３５２ｎをさらにＣノード３５０内に有する。具体的には、Ｃノード３５０は、図１６に示すように、図１２に示すＣノード２５０と比較して、複数のＣ−ＯＬＴ３５２１〜３５２ｎと、切替部３５３と、接続部３５４とを有する点が異なる。なお、以下では、複数のＣ−ＯＬＴ３５２１〜３５２ｎを、それぞれ複数のＣ−ＯＬＴ３５２と表記する場合がある。
【０１３３】
複数のＣ−ＯＬＴ３５２１〜３５２ｎは、それぞれ第２の実施の形態に係るＣ−ＯＬＴ５２と同様の機能を有する。また、複数のＣ−ＯＬＴ３５２１〜３５２ｎは、Ｃノード３５０より下位の位置にある下位装置９０（例えば、ＯＮＵ３０またはＣノード３５０）と接続される。また、複数のＣ−ＯＬＴ３５２１〜３５２ｎは、それぞれ接続部３５４に接続される。また、複数のＣ−ＯＬＴ３５２１〜３５２ｎは、光カプラ、光スイッチまたは光フィルタを介して、下位の位置にある光伝送路と接続される。これにより、複数のＣ−ＯＬＴ３５２１〜３５２ｎは、下位装置９０と通信を行う。
【０１３４】
なお、本実施形態では、Ｃノード３５０内に複数のＣ-ＯＮＵ２５１１１〜２５１ｎｎが搭載されるため、複数のＣ-ＯＮＵ２５１１１〜２５１ｎｎのうち通信に用いられている主系（運用系）のＣ-ＯＮＵが障害情報や切替指示を通知する。また、主系（運用系）のＣ-ＯＮＵにおいて通信が困難な状況である場合には、通信可能な他のＣ−ＯＮＵが障害情報や切替指示を上位終端装置へ通知してもよい。
【０１３５】
切替部３５３は、複数のＣ−ＯＮＵ２５１１１〜２５１ｎｎと複数のＣ−ＯＬＴ３５２１〜３５２ｎと接続される。そして、切替部３５３は、複数のＣ−ＯＮＵ２５１１１〜２５１ｎｎと複数のＣ−ＯＬＴ３５２１〜３５２ｎとを接続する通信経路を切り替える。この点について、図１７を用いて説明する。
【０１３６】
図１７は、第３の実施の形態に係る切替部３５３の構成を示す図である。図１７に示すように、切替部３５３は、図１３に示す切替部２５３と比較して、通信部３２５を有する点が異なる。
【０１３７】
通信部３２５は、複数のＣ−ＯＬＴ３５２１〜３５２ｎのいずれかを介して第２のＰＯＮに含まれる下位装置９０と通信を行う。具体的には、通信部３２５は、図１３に示す通信部２２５と比較して、複数のＣ−ＯＬＴとの接続ポート３２８１〜３２８ｎと、切替処理部３３０とを有する点が異なる。複数のＣ−ＯＬＴとの接続ポート３２８１〜３２８ｎは、主系のＣ−ＯＬＴや副系のＣ−ＯＬＴと接続される。
【０１３８】
具体的には、切替部３５３は、通信に使用中である主系のＣ−ＯＮＵやＣ−ＯＬＴに障害が検知された場合に、信号の通信可能な予備導通経路である他のＣ−ＯＮＵやＣ−ＯＬＴに接続を切り替える。これにより、切替部３５３は、使用中のＣ−ＯＮＵやＣ−ＯＬＴに障害が発生しても通信を維持することができる。
【０１３９】
ここで、切替部３５３は、Ｃ−ＯＬＴの切り替えに際して、切り替え後のＣ−ＯＬＴと下位装置９０と通信を正常に行うために、切り替え前のＣ−ＯＬＴからの下り光信号が下位の位置にあるＯＮＵ３０またはＣノード３５０に受信できないようにする。例えば、切替部３５３は、切り替え前のＣ−ＯＬＴの下り光信号を停止する。この場合、切替部３５３は、複数のＣ−ＯＬＴ３５２同士を光カプラで接続し、複数のＣ−ＯＬＴ３５２を下位の位置にある光伝送路と接続する。
【０１４０】
また、Ｃ−ＯＬＴの故障等によって下段への光信号（下り光信号）を停止できない場合がある。この場合、例えば、下段の光伝送路と任意のＣ−ＯＬＴを接続できる光スイッチを用いることで、故障したＣ−ＯＬＴの下段への光信号（下り光信号）を排除する。
【０１４１】
接続部３５４は、複数のＣ−ＯＮＵ２５１１１〜２５１ｎｎと複数のＣ−ＯＬＴ３５２１〜３５２ｎより下位の位置にある下位装置９０とを光伝送路で接続する。例えば、接続部３５４は、Ｃノード３５０より下位の位置にある下位装置９０（例えば、ＯＮＵ３０またはＣノード３５０）と複数のＣ−ＯＬＴ３５２１〜３５２ｎとを接続することで光信号を導通させる。この点について、図１８を用いて説明する。
【０１４２】
図１８は、第３の実施の形態に係る接続部３５４の構成を示す図である。図１８に示すように、接続部３５４は、例えば、光スイッチが用いられる場合には、電源部３３１と、外部計算処理部３３２と、記憶部３３３と、付加機能部３３４と、通信部３３５と、検知部３３６と、通知部３３７とを有する。
【０１４３】
電源部３３１は、電源制御を行う。例えば、電源部３３１は、接続部３５４への給電を制御する。外部計算処理部３３２は、各種の計算を行う。例えば、外部計算処理部３３２は、後述の切替処理部３４０によって実行される演算を行う。記憶部３３３は、各種の情報を記憶する。例えば、記憶部３３３は、各種ファームウェアを記憶する。そして、記憶部３３３は、後述する切替処理部３４０におけるフレーム処理時にバッファとして利用される。付加機能部３３４は、その他の各種の機能を任意に有する。例えば、付加機能部３３４は、切替処理部３４０等における各種の処理でエラーが発生した場合に、アラームを通知する。なお、接続部３５４は、図示しないその他の各種の機能部を有してもよい。
【０１４４】
通信部３３５は、各種の装置と通信を行う。具体的には、通信部３３５は、複数のＣ−ＯＬＴ３５２１〜３５２ｎのいずれかを介して第２のＰＯＮに含まれる下位装置９０と通信を行う。例えば、通信部３３５は、ＯＬＴ１０や他のＣノード３５０、Ｃ−ＯＬＴ３５２などと通信を行う。図１４に示すように、通信部３３５は、光ポート３３８と、光ポート３３９１〜３３９ｎと、切替処理部３４０と、指示部３４１とを有する。
【０１４５】
光ポート３３８及び光ポート３３９１〜３３９ｎは、外部からの信号を処理する。例えば、光ポート３３８は、下位装置９０との間で信号を送受信する。光ポート３３９１〜３３９ｎは、切替部３５３やＣ−ＯＬＴ３５２１〜３５２ｎとの間で信号を送受信する。
【０１４６】
指示部３４１は、切替処理の指示を行う。例えば、指示部３４１は、切替部３５３または実際に通信を行っているＣ−ＯＬＴから切替情報を受信する。そして、指示部３４１は、受信した切替情報に基づいて切替指示を切替処理部３４０に送信する。
【０１４７】
切替処理部３４０は、障害状況に応じてＣノード３５０内に有する複数のＣ−ＯＬＴ３５２１〜３５２ｎのいずれかと下位装置９０との接続を切り替えることで、複数のＣ−ＯＬＴ３５２１〜３５２ｎのうち第２のＰＯＮに含まれる下位装置９０と通信を行うＣ−ＯＬＴを切り替える。具体的には、切替処理部３４０は、切替部３５３と連動し、Ｃ−ＯＬＴと下位装置９０との通信経路を確保する。例えば、切替処理部３４０は、選択されたＣ−ＯＬＴと下位装置９０とが通信できるように光経路の選択を行う。一例としては、切替処理部３４０は、指示部３４１から切替指示を受信した場合に、指示された通信経路の切り替えを行う。
【０１４８】
ここで、切替処理部３４０は、Ｃ−ＯＬＴからの切替情報に基づいて通信経路の切替を行ってもよい。また、切替処理部３４０は、切替部３５３からの切替情報に基づいて通信経路の切替を行ってもよい。
【０１４９】
検知部３３６は、任意の部分に対して障害の監視・検知を行う。具体的には、検知部３３６は、通信経路の状態を監視し、通信経路に障害が発生したことを検知する。例えば、検知部３３６は、Ｃ−ＯＮＵ２５１やＣ−ＯＬＴ３５２と接続される通信経路に発生した障害を検知する。
【０１５０】
通知部３３７は、障害に関する情報を通知する。具体的には、通知部３３７は、検知部３３６によって障害が検知された場合に、障害情報をＣ−ＯＬＴ３５２または切替部３５３へ送信する。なお、通知部３３７は、光経路の切り替えが必要な場合には、切替要求情報を転送してもよい。
【０１５１】
［処理手順］
次に、図１９を用いて、上位装置８０（例えば、ＯＬＴ１０または上位に位置するＣノード３５０）が主体となって処理を行う切替処理の流れについて説明する。図１９は、第３の実施の形態に係るＣノード３５０における切替処理の流れを示すフローチャートである。
【０１５２】
例えば、上位装置８０は、図１９に示すように、下位に位置するＣノード３５０から障害検知又は切替リクエストを受信したか否かを判定する（ステップＳ３０１）。ここで、上位装置８０は、障害検知又は切替リクエストを受信していない場合には（ステップＳ３０１；無または不要）、Ｃノード３５０との通信可否を判定する（ステップＳ３０２）。そして、上位装置８０は、Ｃノード３５０との通信不可と判定した場合には（ステップＳ３０２；不可）、後述のＣノード３５０主体の切替処理を行う（ステップＳ３０３）。
【０１５３】
一方、上位装置８０は、Ｃノード３５０との通信可と判定した場合には（ステップＳ３０２；可）、通信経路を維持する（ステップＳ３０４）。その後、上位装置８０は、ステップＳ３０１を再び実行する。
【０１５４】
また、上位装置８０は、障害検知又は切替リクエストを受信した場合には（ステップＳ３０１；有）、他の上位装置（例えば、冗長経路に接続されたＯＬＴ）へ通信を引き継ぎ可能か否か判定する（ステップＳ３０５）。なお、他の上位装置への切替可否に関する情報は、Ｃノードからの切替リクエストに関係なく、事前に取得されてもよい。また、他の上位装置への切替可否について、切替リクエストの後に、主系のＯＬＴ（運用系）が副系のＯＬＴ（予備）に対して改めて確認を行ってもよい。
【０１５５】
ここで、上位装置８０は、冗長経路に接続されたＯＬＴへ通信を引き継ぎ不可と判定した場合には（ステップＳ３０５；否）、通信経路を維持する（ステップＳ３０４）。一方、上位装置８０は、冗長経路に接続されたＯＬＴへ通信を引き継ぎ可能と判定した場合には（ステップＳ３０５；可）、Ｃ−ＯＮＵ２５１の障害かＣ−ＯＬＴ３５２の障害かを判定する（ステップＳ３０６）。
【０１５６】
そして、上位装置８０は、障害箇所の状況に応じて正常な通信が可能な経路に切り替える切替指示を障害が発生したＣノード３５０に対して行う。例えば、上位装置８０は、Ｃ−ＯＬＴ３５２の障害であると判定した場合には（ステップＳ３０６；Ｃ−ＯＬＴ障害）、障害が発生した主系のＣ−ＯＬＴを正常な他のＣ−ＯＬＴ（予備）に切り替える切替指示を送信する（ステップＳ３０７）。一方、上位装置８０は、Ｃ−ＯＮＵ２５１の障害であると判定した場合には（ステップＳ３０６；Ｃ−ＯＮＵ障害）、障害が発生した主系のＣ−ＯＮＵを正常な他のＣ−ＯＮＵ（予備）に切り替える切替指示を送信する（ステップＳ３０８）。なお、上位装置８０は、Ｃ−ＯＬＴ３５２及びＣ−ＯＮＵ２５１の両方が障害であると判定した場合には（ステップＳ３０６；両方が障害）、障害が発生した主系のＣ−ＯＬＴ及びＣ−ＯＮＵの両方を正常な他のＣ−ＯＬＴ及びＣ−ＯＮＵに切り替える切替指示を送信する（ステップＳ３０９）。
【０１５７】
その後、上位装置８０は、障害が発生したＣノード３５０から切替完了通知を受信したか否か判定する（ステップＳ３１０）。ここで、上位装置８０は、Ｃノード３５０から切替完了通知を受信したと判定した場合には（ステップＳ３１０；成功）、経路の切替処理を完了する（ステップＳ３１１）。
【０１５８】
一方、上位装置８０は、Ｃノード３５０から切替完了通知を受信していないと判定した場合には（ステップＳ３１０；無または失敗）、通信経路を維持する（ステップＳ３０４）。その後、上位装置８０は、ステップＳ３０１を再び実行する。
【０１５９】
なお、上位装置８０は、ポート等に障害が発生した場合には、正常なポートに経路を切り替えることで通信を維持してもよい。この場合、上位装置８０は、ポートの変更に伴って使用するＣ−ＯＬＴ３５２やＣ−ＯＮＵ２５１も切り替える。
【０１６０】
また、上位装置８０は、このような切替処理を任意の回数繰り返し実行した場合には、切替処理を停止してもよい。また、上位装置８０は、Ｃノード３５０から定期的な状態通知が無くなった場合や、障害によってＣノード３５０から上位装置８０への通知が困難になったと判断される場合に、独自に切替指示を行ってもよい。また、Ｃノード３５０がＣ−ＯＬＴ３５２及び下位装置９０に波長を切り替えて通信を行う機能を有する場合には、切り替え後のＣ−ＯＬＴは、故障したＣ−ＯＬＴの出力する光信号と干渉しない帯域の下り光信号を出力してもよい。この場合、下位装置９０は、切り替え後のＣ−ＯＬＴに対応する波長を受信するように切り替える。
【０１６１】
また、切替処理は、ＯＬＴ１０や上位に位置するＣノード３５０などの上位装置８０に限らず、下位に位置するＣノード３５０が主体となって行ってもよい。例えば、下位に位置するＣノード３５０は、上位装置８０へ障害の通知が困難な場合や、障害が発生した状況で上位装置８０から切替指示を受けることが困難な場合、切替指示が不要な場合などに、自ら切替処理を実行する。この点について、図２０を用いて詳細に説明する。図２０は、第３の実施の形態に係るＣノード３５０における切替処理の流れを示すフローチャートである。
【０１６２】
例えば、下位に位置するＣノード３５０は、図２０に示すように、障害を検知したか否かを判定する（ステップＳ３２０）。ここで、Ｃノード３５０は、障害を検知した場合には（ステップＳ３２０；有）、上位装置８０との通信可否を判定する（ステップＳ３２１）。そして、Ｃノード３５０は、上位装置８０との通信が可と判定された場合には（ステップＳ３２１；可）、図１９に示す上位装置８０主体の切替処理を実行する（ステップＳ３２２）。
【０１６３】
一方、Ｃノード３５０は、上位装置８０との通信が不可または不要と判定された場合には（ステップＳ３２１；不可または不要）、冗長経路に接続されたＯＬＴとの通信可否を判定する（ステップＳ３２３）。ここで、Ｃノード３５０は、冗長経路に接続されたＯＬＴとの通信が可能であると判定した場合には（ステップＳ３２３；可）、経路切替制御を実行する（ステップＳ３２４）。
【０１６４】
まず、Ｃノード３５０は、Ｃ−ＯＮＵ２５１の障害かＣ−ＯＬＴ３５２の障害かを判定する（ステップＳ３２５）。そして、Ｃノード３５０は、障害箇所の状況に応じて正常な通信が可能な経路に切り替える。例えば、Ｃノード３５０は、Ｃ−ＯＬＴ３５２の障害であると判定した場合には（ステップＳ３２５；Ｃ−ＯＬＴ障害）、障害が発生した主系のＣ−ＯＬＴを正常な他のＣ−ＯＬＴに切り替える（ステップＳ３２６）。一方、Ｃノード３５０は、Ｃ−ＯＮＵ２５１の障害であると判定した場合には（ステップＳ３２５；Ｃ−ＯＮＵ障害）、障害が発生した主系のＣ−ＯＮＵを正常な他のＣ−ＯＮＵに切り替える（ステップＳ３２７）。なお、Ｃノード３５０は、Ｃ−ＯＬＴ３５２及びＣ−ＯＮＵ２５１の両方が障害であると判定した場合には（ステップＳ３２５；両方が障害）、障害が発生した主系のＣ−ＯＬＴ及びＣ−ＯＮＵの両方を正常な他のＣ−ＯＬＴ及びＣ−ＯＮＵに切り替える（ステップＳ３２８）。
【０１６５】
その後、Ｃノード３５０は、切替結果を判定する（ステップＳ３２９）。ここで、Ｃノード３５０は、切り替えを全て成功したと判定した場合には（ステップＳ３２９；全て成功）、切替完了通知を上位装置８０に送信する（ステップＳ３３０）。そして、Ｃノード３５０は、経路切替を完了する（ステップＳ３３１）。
【０１６６】
一方、Ｃノード３５０は、切り替えを失敗したと判定した場合には（ステップＳ３２９；失敗）、切替失敗通知を送信する（ステップＳ３３２）。そして、Ｃノード３５０は、通信経路を維持する（ステップＳ３３３）。また、Ｃノード３５０は、障害が検知されていない場合にも（ステップＳ３２０；無）、通信経路を維持する（ステップＳ３３３）。また、Ｃノード３５０は、冗長経路に接続されたＯＬＴとの通信が不可能であると判定した場合にも（ステップＳ３２３；否）、通信経路を維持する（ステップＳ３３３）。
【０１６７】
その後、Ｃノード３５０は、ステップＳ３２０を再び実行する。なお、Ｃノード３５０は、このような切替処理を任意の回数繰り返し実行した場合には、切替処理を停止してもよい。また、Ｃノード３５０は、ポート等に障害が発生した場合には、正常なポートに経路を切り替えることで通信を維持してもよい。この場合、Ｃノード３５０は、ポートの変更に伴って使用するＣ−ＯＬＴ３５２やＣ−ＯＮＵ２５１も切り替える。
【０１６８】
［第３の実施の形態の効果］
このように、第３の実施の形態に係るＣノード３５０は、複数のＣ−ＯＮＵ２５１１１〜２５１ｎｎのいずれかと接続されるとともに、第２のＰＯＮに含まれる下位装置９０１〜９０ｎと光伝送路２０を介して接続される複数のＣ−ＯＬＴ３５２１〜３５２ｎをさらにＣノード３５０内に有し、通信部３２５は、複数のＣ−ＯＬＴ３５２１〜３５２ｎのいずれかを介して第２のＰＯＮに含まれる下位装置９０１〜９０ｎと通信を行い、切替部３５３は、障害状況に応じてＣノード３５０内に有する複数のＣ−ＯＬＴ３５２１〜３５２ｎのいずれかとＣ−ＯＮＵ２５１１１〜２５１ｎｎとの接続を切り替えることで、複数のＣ−ＯＬＴ３５２１〜３５２ｎのうち第２のＰＯＮに含まれる下位装置９０１〜９０ｎと通信を行うＣ−ＯＬＴを切り替える。
【０１６９】
これにより、第３の実施の形態に係るＣノード３５０は、主系となるＣ−ＯＮＵやＣ−ＯＬＴの故障による通信障害や、上段の光スプリッタからＣ−ＯＮＵに接続される光伝送路が断線や劣化などに伴う通信障害が発生した場合に、Ｃノード３５０内の信号の経路を通信可能な他の経路に切り替えることができるので、通信を回復させることができる。
【０１７０】
また、第３の実施の形態に係るＣノード３５０は、Ｃノード３５０内にＣ−ＯＬＴ３５２が複数存在するので、実際に通信が行われているＣ−ＯＬＴに不具合が発生した場合でも、正常なＣ−ＯＬＴへ切替えることができるので、Ｃ−ＯＬＴの故障や不具合に対応することができる。このため、第３の実施の形態に係るＣノード３５０は、Ｃノード３５０内のＣ−ＯＬＴ及びＣ−ＯＮＵの両方の障害に対応することができるので、通信経路の信頼性をより高めることができる。
【０１７１】
［第４の実施の形態］
上記の第２の実施の形態では、Ｃノード２５０は、複数のＣ−ＯＮＵ２５１を有する場合を説明したが、複数のＣ−ＯＮＵ２５１がそれぞれ着脱可能であってもよい。この点について、図２１を用いて詳細に説明する。なお、以下では、上記の実施の形態と同様の機能を発揮する機能部については同一の符号を付し、その説明を省略することとする。
【０１７２】
［Ｃノードの構成］
図２１は、第４の実施の形態に係るＣノード４５０の構成を示す図である。図２１に示すように、Ｃノード４５０は、複数のＣ−ＯＮＵ４５１と、Ｃ−ＯＬＴ５２と、切替部２５３とを有する。
【０１７３】
複数のＣ−ＯＮＵ４５１は、任意に着脱可能なＣ−ＯＮＵである。例えば、複数のＣ−ＯＮＵ４５１は、物理的に取り外し可能なネットワークカードなどである。一例としては、複数のＣ−ＯＮＵ４５１は、主系のＣ−ＯＮＵの故障による通信障害や、上段の光スプリッタからＣ−ＯＮＵに接続される光伝送路が断線や劣化などに伴う通信障害が発生した場合に、正常な他のＣ−ＯＮＵ（予備）と着脱して交換される。
【０１７４】
［第４の実施の形態の効果］
このように、第４の実施の形態に係るＣノード４５０は、着脱可能な複数のＣ−ＯＮＵ４５１を有する。
【０１７５】
これにより、第４の実施の形態に係るＣノード４５０は、任意にＣ−ＯＮＵを着脱することができるので、故障・障害が発生したＣ−ＯＮＵを正常なＣ−ＯＮＵと容易に交換することできる。このため、第４の実施の形態に係るＣノード４５０は、Ｃノードの機能を容易に回復させることができる。また、第４の実施の形態に係るＣノード４５０は、Ｃ−ＯＮＵや光伝送路区間の故障率・障害率に応じて、設置するＣ−ＯＮＵの台数などの構成を容易に変更することができる。
【０１７６】
［第５の実施の形態］
上記の第３の実施の形態では、Ｃノード３５０は、複数のＣ−ＯＮＵ２５１と、複数のＣ−ＯＬＴ３５２とを有する場合を説明したが、複数のＣ−ＯＮＵ２５１及びＣ−ＯＮＵ３５１がそれぞれ着脱可能であってもよい。この点について、図２２を用いて詳細に説明する。なお、以下では、上記の実施の形態と同様の機能を発揮する機能部については同一の符号を付し、その説明を省略することとする。
【０１７７】
［Ｃノードの構成］
図２２は、第５の実施の形態に係るＣノード５５０の構成を示す図である。図２２に示すように、Ｃノード５５０は、複数のＣ−ＯＮＵ４５１１〜４５１ｎと、複数のＣ−ＯＬＴ５５２１〜５５２ｎと、切替部３５３と、接続部３５４とを有する。
【０１７８】
複数のＣ−ＯＮＵ４５１１〜４５１ｎは、任意に着脱可能なＣ−ＯＮＵである。また、複数のＣ−ＯＬＴ５５２１〜５５２ｎは、任意に着脱可能なＣ−ＯＬＴである。例えば、複数のＣ−ＯＮＵ４５１１〜４５１ｎ及び複数のＣ−ＯＬＴ５５２１〜５５２ｎは、物理的に取り外し可能なネットワークカードなどである。一例としては、複数のＣ−ＯＮＵ４５１１〜４５１ｎ及び複数のＣ−ＯＬＴ５５２１〜５５２ｎは、主系のＣ−ＯＮＵまたはＣ−ＯＬＴの故障による通信障害や、上段の光スプリッタからＣ−ＯＮＵまたはＣ−ＯＬＴに接続される光伝送路が断線や劣化などに伴う通信障害が発生した場合に、正常な他のＣ−ＯＮＵまたはＣ−ＯＬＴ（予備）と着脱して交換される。
【０１７９】
［第５の実施の形態の効果］
このように、第５の実施の形態に係るＣノード５５０は、着脱可能な複数のＣ−ＯＮＵ４５１１〜４５１ｎと、複数のＣ−ＯＬＴ５５２１〜５５２ｎとを有する。
【０１８０】
これにより、第５の実施の形態に係るＣノード５５０は、任意にＣ−ＯＮＵ及びＣ−ＯＬＴを着脱することができるので、故障・障害が発生したＣ−ＯＮＵまたはＣ−ＯＬＴを正常なＣ−ＯＮＵまたはＣ−ＯＬＴと容易に交換することできる。このため、第５の実施の形態に係るＣノード５５０は、Ｃノードの機能を容易に回復させることができる。また、第５の実施の形態に係るＣノード５５０は、Ｃ−ＯＮＵやＣ−ＯＬＴ、光伝送路区間の故障率・障害率に応じて、設置するＣ−ＯＮＵやＣ−ＯＬＴの台数などの構成を容易に変更することができる。
【０１８１】
［第６の実施の形態］
上記の第２の実施の形態及び第４の実施の形態では、Ｃノード２５０及びＣノード４５０は、複数のＣ−ＯＮＵ２５１を有する場合を説明したが、任意の数のＣ−ＯＮＵを同時に動作させてもよい。具体的には、第６の実施の形態に係るＣノード６５０は、Ｃノード６５０内に有する複数のＣ−ＯＮＵ２５１１１〜２５１ｎｎのうち、第１のＰＯＮに含まれる複数の上位装置８０１〜８０ｎのいずれかと通信を行うＣ−ＯＮＵとして２以上のＣ−ＯＮＵを同時に動作させる。この点について、図２３を用いて詳細に説明する。なお、以下では、上記の実施の形態と同様の機能を発揮する機能部については同一の符号を付し、その説明を省略することとする。
【０１８２】
［Ｃノードの構成］
図２３は、第６の実施の形態に係るＣノード６５０の構成を示す図である。図２３に示すように、Ｃノード６５０は、図１２に示すＣノード２５０と比較して、切替部６５３とを有する。
【０１８３】
切替部６５３は、Ｃノード６５０内に有する複数のＣ−ＯＮＵ２５１１１〜２５１ｎｎのうち、第１のＰＯＮに含まれる複数の上位装置８０１〜８０ｎのいずれかと通信を行うＣ−ＯＮＵとして２以上のＣ−ＯＮＵを同時に動作させる。具体的には、切替部６５３は、切替部２５３と比較して、切替処理部６３０を有する点が異なる。
【０１８４】
切替処理部６３０は、Ｃノード６５０が有する複数のＣ−ＯＮＵ２５１１〜２５１ｎのうち任意のＣ−ＯＮＵを動作させ同時に通信させる。すなわち、切替部６５３は、Ｃノード６５０における信号処理の負荷状況に応じて任意の数のＣ−ＯＮＵを稼働させることで信号を分散して処理する。例えば、切替部６５３は、図２３に示すように、Ｃ−ＯＮＵ２５１１１と、Ｃ−ＯＮＵ２５１２１と、Ｃ−ＯＮＵ２５１２ｎと、Ｃ−ＯＮＵ２５１ｎ１とを通過する複数の信号の処理経路Ｌｉを確保する。この点について、図２４を用いて説明する。
【０１８５】
図２４は、第６の実施の形態に係る切替部６５３の構成を示す図である。図２４に示すように、切替部６５３は、複数のＣ−ＯＮＵと接続される信号の導通経路１と導通経路ｍとを確保する。例えば、切替部６５３は、指示部２３１によってＣ−ＯＮＵからの負荷分散指示が受け付けられた場合に、負荷分散指示に基づいて通信経路を設定する。そして、切替部６５３は、Ｃ−ＯＮＵ２５１１１と、Ｃ−ＯＮＵ２５１２１と、Ｃ−ＯＮＵ２５１２ｎと、Ｃ−ＯＮＵ２５１ｎ１との間の信号の導通経路を形成することで複数のＣ−ＯＮＵによる通信の負荷分散を行う。
【０１８６】
［第６の実施の形態の効果］
このように、第６の実施の形態に係るＣノード６５０では、切替部６５３は、Ｃノード６５０内に有する複数のＣ−ＯＮＵ２５１１１〜２５１ｎｎのうち、第１のＰＯＮに含まれる複数の上位装置８０１〜８０ｎのいずれかと通信を行うＣ−ＯＮＵとして２以上のＣ−ＯＮＵを同時に動作させる。
【０１８７】
これにより、第６の実施の形態に係るＣノード６５０は、複数のＣ−ＯＮＵに負荷を分散することができるので、１台当たりのＣ−ＯＮＵの負荷を低減することができる。例えば、第６の実施の形態に係るＣノード６５０は、情報処理能力及びコストが低いＣ-ＯＮＵを複数搭載して負荷を分散することで、Ｃノード全体における信号処理能力の高さを維持することができる。
【０１８８】
［第７の実施の形態］
上記の第３の実施の形態及び第５の実施の形態では、Ｃノード３５０及びＣノード５５０は、複数のＣ−ＯＮＵと、複数のＣ−ＯＬＴとを有する場合を説明したが、任意の数のＣ−ＯＮＵ及び任意の数のＣ−ＯＬＴを同時に稼働させてもよい。具体的には、第７の実施の形態に係るＣノード７５０は、Ｃノード７５０内に有する複数のＣ−ＯＬＴ３５２１〜３５２ｎのうち、第２のＰＯＮに含まれる下位装置９０１〜９０ｎと通信を行うＣ−ＯＬＴとして２以上のＣ−ＯＬＴを同時に動作させる。この点について、図２５を用いて詳細に説明する。なお、以下では、上記の実施の形態と同様の機能を発揮する機能部については同一の符号を付し、その説明を省略することとする。
【０１８９】
［Ｃノードの構成］
図２５は、第７の実施の形態に係るＣノード７５０の構成を示す図である。図２５に示すように、Ｃノード７５０は、図１６に示すＣノード３５０と比較して、切替部７５３と、接続部７５４とを有する。
【０１９０】
切替部７５３は、Ｃノード７５０内に有する複数のＣ−ＯＬＴ３５２１〜３５２ｎのうち、第２のＰＯＮに含まれる下位装置９０１〜９０ｎと通信を行うＣ−ＯＬＴとして２以上のＣ−ＯＬＴを同時に動作させる。具体的には、切替部７５３の切替処理部７３０は、Ｃノード７５０が有する複数のＣ−ＯＮＵ２５１１１〜２５１ｎｎのうち任意のＣ−ＯＮＵを動作させて通信させ、かつ、Ｃノード７５０が有する複数のＣ−ＯＬＴ３５２１〜３５２ｎのうち任意のＣ−ＯＬＴを動作させて通信させる。すなわち、切替部７５３は、Ｃノード７５０における信号処理の負荷状況に応じて任意の数のＣ−ＯＮＵと任意の数のＣ−ＯＬＴを稼働させることで信号を分散して処理する。
【０１９１】
例えば、切替部７５３は、図２５に示すように、Ｃ−ＯＮＵ２５１１１と、Ｃ−ＯＮＵ２５１２１と、Ｃ−ＯＮＵ２５１ｎｎと、Ｃ−ＯＬＴ３５２１と、Ｃ−ＯＬＴ３５２ｎとを通過する複数の信号の処理経路Ｌｉを確保する。この点について、図２６を用いて説明する。
【０１９２】
図２６は、第７の実施の形態に係る切替部７５３の構成を示す図である。切替部７５３は、切替部３５３と比較して、通信部７２５を有する点が異なる。通信部７２５は、通信部３２５と比較して、切替処理部７３０を有する点が異なる。
【０１９３】
切替処理部７３０は、図２６に示すように、複数のＣ−ＯＮＵ２５１１１〜２５１ｎｎと、複数のＣ−ＯＬＴ３５２１〜３５２ｎとを接続する信号の導通経路１−１と、導通経路ｍ−１と、導通経路１−ｍと、導通経路ｍ−ｎとを確保する。例えば、切替処理部７３０は、指示部２３１によってＣ−ＯＮＵからの負荷分散指示が受け付けられた場合に、負荷分散指示に基づいて通信経路を設定する。そして、切替処理部７３０は、Ｃ−ＯＮＵ２５１１１と、Ｃ−ＯＮＵ２５１２１と、Ｃ−ＯＮＵ２５１ｎｎと、Ｃ−ＯＬＴ３５２１と、Ｃ−ＯＬＴ３５２ｎとの間の信号の導通経路を形成することで複数のＣ−ＯＮＵと複数のＣ−ＯＬＴとによる通信の負荷分散を行う。
【０１９４】
接続部７５４は、Ｃ−ＯＮＵとＣ−ＯＬＴとを接続する。具体的には、接続部７５４は、複数のＣ−ＯＮＵ２５１１１〜２５１ｎｎのうち切替部７５３によって稼働されたＣ−ＯＮＵと、複数のＣ−ＯＬＴ３５２１〜３５２ｎのうち切替部７５３によって稼働されたＣ−ＯＬＴとを接続する。
【０１９５】
［第７の実施の形態の効果］
このように、第７の実施の形態に係るＣノード７５０は、Ｃノード７５０内に有する複数のＣ−ＯＬＴ３５２１〜３５２ｎのうち、第２のＰＯＮに含まれる下位装置９０１〜９０ｎと通信を行うＣ−ＯＬＴとして２以上のＣ−ＯＬＴを同時に動作させる。
【０１９６】
これにより、第７の実施の形態に係るＣノード７５０は、複数のＣ−ＯＮＵ及び複数のＣ−ＯＬＴに負荷を分散することができるので、１台当たりのＣ−ＯＮＵ及びＣ−ＯＬＴの負荷を低減することができる。例えば、第７の実施の形態に係るＣノード７５０は、情報処理能力及びコストが低いＣ-ＯＮＵ及びＣ−ＯＬＴを複数搭載して負荷を分散することで、Ｃノード全体における信号処理能力の高さを維持することができる。
【０１９７】
［第８の実施の形態］
上記の第２の実施の形態、第４の実施の形態及び第６の実施の形態では、Ｃノードは、複数のＣ−ＯＮＵ２５１１１〜２５１ｎｎを有する場合を説明したが、Ｃ−ＯＮＵを任意に休止させてもよい。具体的には、第８の実施の形態に係るＣノード８５０では、Ｃノード８５０内に有するＣ−ＯＮＵは、Ｃノード８５０内に有する複数のＣ−ＯＮＵ８５１１１〜８５１ｎｎのうち少なくとも１つのＣ−ＯＮＵを動作させた状態で他のＣ−ＯＮＵを任意のタイミングで休止させる。この点について、図２７を用いて詳細に説明する。なお、以下では、上記の実施の形態と同様の機能を発揮する機能部については同一の符号を付し、その説明を省略することとする。
【０１９８】
［Ｃノードの構成］
図２７は、第８の実施の形態に係るＣノード８５０の構成を示す図である。図２７に示すように、Ｃノード８５０は、図１２に示すＣノード２５０と比較して、複数のＣ−ＯＮＵ８５１１１〜８５１ｎｎを有する。
【０１９９】
複数のＣ−ＯＮＵ８５１１１〜８５１ｎｎは、例えば、信号処理等のタスクが発生しておらず、休止しても信号伝送に障害の発生しないＣ−ＯＮＵを任意に休止（スリープ）する。図２７の例では、複数のＣ−ＯＮＵ８５１１１〜８５１ｎｎのうちＣ−ＯＮＵ８５１２１〜８５１ｎｎは、休止している。このため、複数のＣ−ＯＮＵ８５１１１〜８５１ｎｎのうちＣ−ＯＮＵ８５１１１が信号の処理経路Ｌｉとなる。この点について、図２８を用いて説明する。
【０２００】
図２８は、第８の実施の形態に係るＣ−ＯＮＵ８５１の構成を示す図である。図２８に示すように、Ｃ−ＯＮＵ８５１は、Ｃ−ＯＮＵ５１と比較して、休止部８９１（下位休止部に相当）をさらに有する。
【０２０１】
休止部８９１は、Ｃ−ＯＮＵ８５１の休止を制御する。具体的には、休止部８９１は、Ｃノード８５０が有する複数のＣ−ＯＮＵ８５１１１〜８５１ｎｎのうち少なくとも１台のＣ−ＯＮＵを動作させた状態で他のＣ−ＯＮＵを任意のタイミングで休止させる。例えば、休止部８９１は、ＰＯＮ−ＩＦポート１０９、ＰＯＮ信号処理部１１０、Ｃ−ＯＬＴとの接続ポート１０８においてＣ−ＯＮＵ８５１へ導通するトラフィックを監視する。そして、休止部８９１は、トラフィックの流入が任意の値以下であると判定した場合に、Ｃ−ＯＮＵ８５１のスリープを行うための制御を開始する。
【０２０２】
ここで、休止部８９１は、Ｃ−ＯＮＵ８５１が主体となってスリープの開始を任意のタイミングでおこなってもよい。また、休止部８９１は、スリープを実行するか否かの許可を上位装置８０から求めてもよい。例えば、休止部８９１は、ＰＯＮ−ＩＦポート１０９を介して、上位の位置にあるＯＬＴ１０またはＣノード８５０にスリープ要求を送信する。また、休止部８９１は、ＰＯＮ−ＩＦポート１０９を介して、上位の位置にあるＯＬＴ１０またはＣノード８５０からスリープ許可を受信する。
【０２０３】
そして、休止部８９１は、上位の位置にあるＯＬＴ１０またはＣノード８５０からスリープ許可が得られた場合に、スリープを開始する。また、休止部８９１は、Ｃ−ＯＮＵ８５１が予備系（非運用系）として上位装置８０から設定された場合に、信号の流入が無いものとしてスリープを開始してもよい。これにより、休止部８９１は、Ｃ−ＯＮＵを抑制状態とすることができるので、休止したＣ−ＯＮＵへの給電を必要最低限に抑えることができる。このため、休止部８９１は、Ｃ−ＯＮＵによる電力消費を減らすことができる。
【０２０４】
また、休止部８９１は、Ｃノード８５０の各部位の発熱状態を監視し、温度状況に応じてＣ−ＯＮＵを交互に動作させてもよい。これにより、休止部８９１は、一部の部位に発熱が集中し、機器類の熱的負荷発生に伴うＣノードの劣化やデバイスの熱暴走によるリスクを低減することができる。
【０２０５】
［第８の実施の形態の効果］
このように、第８の実施の形態に係るＣノード８５０では、Ｃノード８５０内に有するＣ−ＯＮＵは、Ｃノード８５０内に有する複数のＣ−ＯＮＵ８５１１１〜８５１ｎｎのうち少なくとも１つのＣ−ＯＮＵを動作させた状態で他のＣ−ＯＮＵを任意のタイミングで休止させる休止部８９１を有する。
【０２０６】
これにより、第８の実施の形態に係るＣノード８５０は、少なくとも１つのＣ−ＯＮＵを残して他のＣ−ＯＮＵを休止することができるので、システムを維持したまま消費電力を低減することができる。
【０２０７】
また、副系の上位装置８０や主系及び副系を混在して用いられる上位装置８０においても、信号の流入が無い場合に、信号の流入がない装置を休止させることで、消費電力を低減及び抑制してもよい。また、少数の副系のＰＯＮで複数の主系のＰＯＮの冗長構成を行う場合、トラフィックが副系のＰＯＮの容量以下であれば、副系のＰＯＮに通信経路を切り替えて主系の上位装置８０を休止させることで、消費電力を低減及び抑制してもよい。
【０２０８】
［第９の実施の形態］
上記の第３の実施の形態、第５の実施の形態及び第７の実施の形態では、Ｃノードは、複数のＣ−ＯＮＵと、複数のＣ−ＯＬＴとを有する場合を説明したが、Ｃ−ＯＮＵ及びＣ−ＯＬＴを任意に休止させてもよい。具体的には、第９の実施の形態に係るＣノード９５０では、Ｃノード９５０に有するＣ−ＯＬＴは、Ｃノード９５０内に有する複数のＣ−ＯＬＴ９５２１〜９５２ｎのうち少なくとも１つのＣ−ＯＬＴを動作させた状態で他のＣ−ＯＬＴを任意のタイミングで休止させる。この点について、図２９を用いて詳細に説明する。
【０２０９】
［Ｃノードの構成］
図２９は、第９の実施の形態に係るＣノード９５０の構成を示す図である。図２９に示すように、Ｃノード９５０は、図１６に示すＣノード３５０と比較して、複数のＣ−ＯＮＵ８５１１１〜８５１ｎｎと、複数のＣ−ＯＬＴ９５２１〜９５２ｎとを有する。
【０２１０】
複数のＣ−ＯＬＴ９５２１〜９５２ｎは、信号処理等のタスクが発生しておらず、休止しても信号伝送に障害の発生しないＣ−ＯＬＴを任意に休止（スリープ）する。図２９の例では、複数のＣ−ＯＬＴ９５２１〜９５２ｎのうちＣ−ＯＬＴ９５２２〜９５２ｎは、休止している。このため、複数のＣ−ＯＬＴ９５２１〜９５２ｎのうちＣ−ＯＬＴ９５２１が信号の処理経路Ｌｉとなる。この点について、図３０を用いて説明する。
【０２１１】
図３０は、第９の実施の形態に係るＣ−ＯＬＴ９５２の構成を示す図である。図３０に示すように、Ｃ−ＯＬＴ９５２は、Ｃ−ＯＬＴ３５２と比較して、休止部９９１（上位休止部に相当）をさらに有する。
【０２１２】
休止部９９１は、Ｃノード９５０内に有する複数のＣ−ＯＬＴ９５２１〜９５２ｎのうち少なくとも１つのＣ−ＯＬＴを動作させた状態で他のＣ−ＯＬＴを任意のタイミングで休止させる。具体的には、休止部９９１は、Ｃノード９５０が有する複数のＣ−ＯＬＴ９５２１〜９５２ｎのうち少なくとも１台のＣ−ＯＬＴを動作させた状態で他のＣ−ＯＬＴを任意のタイミングで休止させる。
【０２１３】
例えば、休止部９９１は、Ｃ−ＯＮＵとの接続ポート１１９、ＰＯＮ−ＩＦポート１１８、ＰＯＮ信号処理部１２０においてＣ−ＯＬＴ９５２へ導通するトラフィックを監視する。そして、休止部９９１は、トラフィックの流入が任意の値以下であると判定した場合に、Ｃ−ＯＮＵ８５１及びＣ−ＯＬＴ９５２のスリープを行うための制御を開始する。
【０２１４】
ここで、休止部９９１は、Ｃ−ＯＬＴ９５２が主体となってスリープの開始を任意のタイミングでおこなってもよい。また、休止部９９１は、スリープを実行するか否かの許可を上位装置８０から求めてもよい。例えば、休止部９９１は、Ｃ−ＯＮＵとの接続ポートを介して、Ｃ−ＯＮＵ８５１または上位の位置にあるＯＬＴ１０またはＣノード９５０にスリープ要求を送信する。また、休止部９９１は、Ｃ−ＯＮＵとの接続ポートを介して、Ｃ−ＯＮＵ８５１または上位の位置にある上位装置８０からスリープ許可を受信する。そして、休止部９９１は、上位装置８０からスリープ許可が得られた場合に、スリープを開始する。
【０２１５】
また、休止部９９１は、Ｃ−ＯＬＴ９５２が予備系（非運用系）として上位装置８０から設定された場合に、信号の流入が無いものとしてスリープを開始してもよい。また、休止部９９１は、Ｃ−ＯＮＵ８５１との間に通信経路が確立されている場合に、Ｃ−ＯＮＵ８５１へスリープ要求を行い、Ｃ−ＯＮＵ８５１からスリープ許可を得て、スリープを開始してもよい。
【０２１６】
これにより、休止部９９１は、Ｃ−ＯＮＵ８５１及びＣ−ＯＬＴ９５２を抑制状態とすることができるので、休止したＣ−ＯＮＵ８５１及びＣ−ＯＬＴ９５２への給電を必要最低限に抑えることができる。このため、休止部９９１は、Ｃ−ＯＮＵ８５１及びＣ−ＯＬＴ９５２による電力消費を減らすことができる。
【０２１７】
また、休止部９９１は、Ｃノード９５０の各部位の発熱状態を監視し、温度状況に応じてＣ−ＯＮＵ８５１及びＣ−ＯＬＴ９５２を任意に動作させてもよい。これにより、休止部９９１は、一部の部位に発熱が集中し、機器類の熱的負荷発生に伴うＣノードの劣化やデバイスの熱暴走によるリスクを低減することができる。
【０２１８】
［第９の実施の形態の効果］
このように、第９の実施の形態に係るＣノード９５０は、Ｃノード９５０に有するＣ−ＯＬＴは、Ｃノード９５０内に有する複数のＣ−ＯＬＴ９５２１〜９５２ｎのうち少なくとも１つのＣ−ＯＬＴを動作させた状態で他のＣ−ＯＬＴを任意のタイミングで休止させる休止部９９１を有する。
【０２１９】
これにより、第９の実施の形態に係るＣノード９５０は、少なくとも１つのＣ−ＯＮＵ及びＣ−ＯＬＴを残して他のＣ−ＯＮＵ及びＣ−ＯＬＴを休止することができるので、システムを維持したまま消費電力を低減することができる。
【０２２０】
以上、本発明のいくつかの実施例を説明したが、これらの実施例は、例として提示したものであり、発明の範囲を限定することは意図していない。これら実施例は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【０２２１】
上記の実施例において図示した各装置の各構成要素は機能概念的なものであり、必ずしも物理的に図示された構成要素と同一であることを要しない。すなわち、各装置の分散・統合の具体的形態（例えば、図２の形態）は図示のものに限られず、その全部または一部を、各種の負荷や使用状況などに応じて、任意の単位で機能的または物理的に分散・統合して構成することができる。例えば、Ｃ−ＯＮＵ５１とＣ−ＯＬＴ５２とを一つの部として統合してもよく、一方、切替部５３を、通信部１０５と検知部１０６とに分散してもよい。また、例えば、通知部１０７をＣノード５０の外部装置としてネットワーク経由で接続するようにしてもよい。また、検知部１０６、通知部１０７を別の装置がそれぞれ有し、ネットワークに接続されて協働することで、上記したＣノード５０の機能を実現するようにしてもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０２２２】
また、上記の実施例においてＣノードでは、Ｃ−ＯＮＵ、Ｃ−ＯＬＴ及び切替部のそれぞれが、検知部及び通知部を有する例を示した。ここで、Ｃノードでは、必ずしもＣ−ＯＮＵ、Ｃ−ＯＬＴ及び切替部のそれぞれが検知部及び通知部を有さなくてもよい。具体的には、少なくとも冗長する部位が検知部及び通知部を有すればよい。例えば、Ｃ−ＯＮＵのみが検知部及び通知部を有し、障害の検知及び通知を行ってもよい。
【０２２３】
また、上記の実施例において説明した各処理のうち、自動的に行われるものとして説明した処理の全部または一部を手動的に行うこともできる。あるいは、手動的に行われるものとして説明した処理の全部または一部を公知の方法で自動的に行うこともできる。
【符号の説明】
【０２２４】
１    ＰＯＮシステム
１０  ＯＬＴ
２０  光伝送路
３０  ＯＮＵ
５０  Ｃノード
５１  Ｃ−ＯＮＵ
５２  Ｃ−ＯＬＴ
５３  切替部
７０  光スプリッタ
【図１】
2016115962.tif 000003
【図２】
2016115962.tif 000004
【図３】
2016115962.tif 000005
【図４】
2016115962.tif 000006
【図５】
2016115962.tif 000007
【図６】
2016115962.tif 000008
【図７】
2016115962.tif 000009
【図８】
2016115962.tif 000010
【図９】
2016115962.tif 000011
【図１０】
2016115962.tif 000012
【図１１】
2016115962.tif 000013
【図１２】
2016115962.tif 000014
【図１３】
2016115962.tif 000015
【図１４】
2016115962.tif 000016
【図１５】
2016115962.tif 000017
【図１６】
2016115962.tif 000018
【図１７】
2016115962.tif 000019
【図１８】
2016115962.tif 000020
【図１９】
2016115962.tif 000021
【図２０】
2016115962.tif 000022
【図２１】
2016115962.tif 000023
【図２２】
2016115962.tif 000024
【図２３】
2016115962.tif 000025
【図２４】
2016115962.tif 000026
【図２５】
2016115962.tif 000027
【図２６】
2016115962.tif 000028
【図２７】
2016115962.tif 000029
【図２８】
2016115962.tif 000030
【図２９】
2016115962.tif 000031
【図３０】
2016115962.tif 000032
【図３１】
2016115962.tif 000033
【図３２】
2016115962.tif 000034